(57)【要約】      （修正有）【課題】簡易な構成で大径ディスクを安定的にクランプでき、かつクランプの信頼性も高いディスク再生装置を提供すること。【解決手段】上面に滑り止め部３９が設けられているターンテーブル３７を具備し、このターンテーブル３７に対して大径ディスク１１ｂ又は小径ディスクをクランパ３４によってチャッキングするディスク再生装置１０であり、大径ディスク１１ｂ又は小径ディスクに接触して、これら大径ディスク１１ｂ又は小径ディスクの搬入および搬出を行うディスク搬送機構と、大径ディスク１１ｂが搬入されたときに大径ディスク１１ｂの搬入の先端側を保持し、大径ディスク１１ｂの搬入に際しては該搬入に伴なって移動すると共に、クランパ３４の下降によるターンテーブル３７への大径ディスク１１ｂのチャッキング動作に伴う調芯の完了後に大径ディスク１１ｂの先端側の保持を解除して退避する先端保持手段４４と、を具備する。【選択図】図５
2005078694.tif 000002
【特許請求の範囲】
【請求項１】
大径ディスク又は小径ディスクを載置すると共に上面に滑り止め部が取り付けられているターンテーブルを具備し、このターンテーブルに対して大径ディスク又は小径ディスクをクランパによってチャッキングするディスク再生装置において、
上記大径ディスク又は上記小径ディスクに接触して、これら大径ディスク又は小径ディスクの搬入および搬出を行うディスク搬送機構と、
上記大径ディスクが搬入されたときに上記大径ディスクの搬入の先端側を保持し、この大径ディスクの上記ディスク搬送機構による搬入に際しては該搬入に伴なって移動すると共に、上記クランパの下降による上記ターンテーブルへの上記大径ディスクのチャッキング動作に伴う調芯の完了後に上記大径ディスクの先端側の保持を解除して退避する先端保持手段と、
を具備することを特徴とするディスク再生装置。
【請求項２】
前記小径ディスクが搬入されたときに、前記小径ディスクの搬入の先端側を保持し、この小径ディスクの前記ディスク搬送手段による搬入に際しては該搬入に伴なって移動すると共に、前記クランパの下降による前記ターンテーブルへの前記小径ディスクのチャッキング動作に伴う調芯の完了後に前記小径ディスクの先端側の保持を解除して退避する小径側先端保持手段を具備し、
前記先端保持手段は、前記小径側先端保持手段よりも下向きに延出して設けられていることを特徴とする請求項１記載のディスク再生装置。
【請求項３】
前記大径ディスク又は前記小径ディスクの搬送に際して、該大径ディスク又は該小径ディスクの搬入をガイドするディスクガイド手段を具備すると共に、
このディスクガイド手段は、
前記大径ディスクおよび前記小径ディスクを前記滑り止め部との間で隙間を有する状態でガイドし、かつ前記小径ディスクの搬入の場合よりも前記大径ディスクの搬入の場合の方が、ディスク先端を下方側に向かわせる、
ことを特徴とする請求項２記載のディスク再生装置。
【請求項４】
前記先端保持手段は、前記クランパが取り付けられているクランプレバーに対して回転軸を中心に回動自在とする回動部材に設けられていると共に、
この先端保持手段は、
下方側に向かって突出しているディスク係合部と、
上記ディスク係合部に設けられていると共に、前記大径ディスクの下面側を支持するディスク保持部と、
を具備することを特徴とする請求項１から３のいずれか１項に記載のディスク再生装置。
【請求項５】
前記ディスク保持部は、軸線方向に向かって下方に突出して設けられていると共に、この軸線方向は、前記回動部材が回動を開始した後の時点よりも、該回動部材が回動を開始する前の時点の方が、前記大径ディスクのチャッキングの中心部分に向かっていることを特徴とする請求項４記載のディスク再生装置。
【請求項６】
前記ディスク搬送機構は、前記ディスクに接触する搬送ローラを具備していて、
前記回動部材は、該回動部材の回動によってスライド部材をスライドさせることを可能としており、
このスライド部材が一定距離スライドすることで、上記スライド部材をスライドさせるための駆動力を与えるスライド用駆動伝達手段から駆動力が伝達可能となると共に、
上記スライド部材は、このスライド部材のスライドによって、前記クランプレバーを前記ターンテーブルに対して近接又は離間させるためのカム機構に連結されていて、
上記スライド部材は、このスライド部材のスライドによって、上記搬送ローラを回動させるための第２のカム機構に連結されていて、
上記第２のカム機構による上記搬送ローラの回動によって、前記大径ディスク又は小径ディスクが前記ターンテーブルに対して近接又は離間すると共に、
上記カム機構によって前記クランプレバーを前記ターンテーブルに対して近接させた場合に、上記第２のカム機構によって上記搬送ローラが回動されて、該大径ディスクの調芯およびチャッキングが実行される、
ことを特徴とする請求項４又は５記載のディスク再生装置。
【請求項７】
前記クランパが前記大径ディスクに接触するときに、前記駆動力伝達切替機構によって前記搬送ローラへの駆動力が非伝達となることを特徴とする請求項６記載のディスク再生装置。
【発明の詳細な説明】
【技術分野】
【０００１】
本発明は、ディスク再生装置に関する。
【背景技術】
【０００２】
市販されているＣＤ（コンパクトディスク）等のディスクとしては、直径が１２ｃｍの大径ディスクと、直径が８ｃｍの小径ディスクの２種類がある。そのため、近年のスロットイン方式のディスク再生装置には、異なる直径のディスクが内部に搬入された場合でも、夫々の直径のディスクに対応したローディング終了位置を、機構的に切り替える機能を備えるものがある。なお、このスロットイン方式のディスク再生装置は、カーオーディオ等で一般に採用されているものである。
【０００３】
ところで、上述のローディング終了位置を、機構的に切り替える概略構成としては、特許文献１記載のものがある。この公報記載の構成では、大径のディスクが挿入された場合に、開閉アーム（位置決めピン）が開閉して、該大径のディスクの外周縁部を逃がす構成が開示されている。また、この構成では、小径のディスクが挿入された場合には、位置決めピンの初期位置で、該小径のディスクを受け止める構成となっている。すなわち、この構成では、位置決めピンは、小径のディスク挿入の際のストッパとして機能すると共に、大径ディスクの挿入の際には、ストッパとしての位置決めピンを逃がしている。
【０００４】
また、位置決めピンを逃がす構成の例としては、特許文献２記載のものがある。この構成では、当接部材の回動により、大径ディスクの挿入の際に、該当接部材と大径ディスクとが干渉しない構成が開示されている。すなわち、この公報記載の構成では、小径のディスクが挿入された場合に、ストッパ部材に存在する当接部材がロックされて、該小径のディスクを規定位置で受け止める。これと共に、大径のディスクが挿入された場合には、ストッパ部材が回動して当接部材を上方に逃がし、該大径のディスクの挿入の際に干渉しないようにしている。
【０００５】
【特許文献１】特開１１−８６４１５号公報（段落番号０１５８〜０１６０、図１５、図１６、図２０、図２１参照）
【特許文献２】特開平５−１５１６７７号（段落番号００３８〜００４４、図３〜図９参照）
【発明の開示】
【発明が解決しようとする課題】
【０００６】
ところで、上述の特許文献１、および特許文献２記載の構成では、ディスクの搬入の後端側（ディスクの挿入口側）の下面のみが、搬送ローラによって支持されているので、クランパによって大径ディスクをクランプすると、該大径ディスクが傾きながらクランプされる。
【０００７】
この状態を、図２７に示す。大径ディスク１がクランパ２に接触すると、大径ディスク１の傾斜により、その下面の搬入の奥側の部位が、ターンテーブル３の上面に貼設されているフリクションシート４に接触する。すると、大径ディスク１の下面と、フリクションシート４との間で摩擦が生じる。そのため、クランパ２の降下による調芯に際して、大径ディスク１の挿入方向に移動しようとしても、当該摩擦が、大径ディスク１の移動の邪魔になる。それによって、大径ディスク１が移動せず、調芯の妨げとなる場合がある。
【０００８】
また、大径ディスク１とフリクションシート４との間の摩擦に抗して、大径ディスク１の調芯を行おうとする場合、クランパに大きな力を付与する必要がある。しかしながら、かかる大きな力を付与するためには、モータを大出力化する必要が生じ、コストアップの要因となる等の問題がある。
【０００９】
本発明は上記の事情にもとづきなされたもので、その目的とするところは、簡易な構成で大径ディスクを安定的に調芯でき、かつクランプの信頼性も高いディスク再生装置を提供しよう、とするものである。
【課題を解決するための手段】
【００１０】
上記課題を解決するために、本発明は、大径ディスク又は小径ディスクを載置すると共に上面に滑り止め部が取り付けられているターンテーブルを具備し、このターンテーブルに対して大径ディスク又は小径ディスクをクランパによってチャッキングするディスク再生装置において、大径ディスク又は小径ディスクに接触して、これら大径ディスク又は小径ディスクの搬入および搬出を行うディスク搬送機構と、大径ディスクが搬入されたときに大径ディスクの搬入の先端側を保持し、この大径ディスクのディスク搬送機構による搬入に際しては該搬入に伴なって移動すると共に、クランパの下降によるターンテーブルへの大径ディスクのチャッキング動作に伴う調芯の完了後に大径ディスクの先端側の保持を解除して退避する先端保持手段と、を具備するものである。
【００１１】
また、他の発明は、上述の発明に加えて更に、小径ディスクが搬入されたときに、小径ディスクの搬入の先端側を保持し、この小径ディスクのディスク搬送手段による搬入に際しては該搬入に伴なって移動すると共に、クランパの下降によるターンテーブルへの小径ディスクのチャッキング動作に伴う調芯の完了後に小径ディスクの先端側の保持を解除して退避する小径側先端保持手段を具備し、先端保持手段は、小径側先端保持手段よりも下向きに延出して設けられているものである。
【００１２】
さらに、他の発明は、上述の各発明に加えて更に、大径ディスク又は小径ディスクの搬送に際して、該大径ディスク又は該小径ディスクの搬入をガイドするディスクガイド手段を具備すると共に、このディスクガイド手段は、大径ディスクおよび小径ディスクを滑り止め部との間で隙間を有する状態でガイドし、かつ小径ディスクの搬入の場合よりも大径ディスクの搬入の場合の方が、ディスク先端を下方側に向かわせる、こととしたものである。
【００１３】
また、他の発明は、上述の各発明に加えて更に、先端保持手段は、クランパが取り付けられているクランプレバーに対して回転軸を中心に回動自在とする回動部材に設けられていると共に、この先端保持手段は、下方側に向かって突出しているディスク係合部と、ディスク係合部に設けられていると共に、大径ディスクの下面側を支持するディスク保持部と、を具備するものである。
【００１４】
さらに、他の発明は、上述の各発明に加えて更に、ディスク保持部は、軸線方向に向かって下方に突出して設けられていると共に、この軸線方向は、回動部材が回動を開始した後の時点よりも、該回動部材が回動を開始する前の時点の方が、大径ディスクのチャッキングの中心部分に向かっているものである。
【００１５】
また、他の発明は、上述の各発明に加えて更に、ディスク搬送機構は、ディスクに接触する搬送ローラを具備していて、回動部材は、該回動部材の回動によってスライド部材をスライドさせることを可能としており、このスライド部材が一定距離スライドすることで、スライド部材をスライドさせるための駆動力を与えるスライド用駆動伝達手段から駆動力が伝達可能となると共に、スライド部材は、このスライド部材のスライドによって、クランプレバーをターンテーブルに対して近接又は離間させるためのカム機構に連結されていて、スライド部材は、このスライド部材のスライドによって、搬送ローラを回動させるための第２のカム機構に連結されていて、第２のカム機構による搬送ローラの回動によって、大径ディスク又は小径ディスクがターンテーブルに対して近接又は離間すると共に、カム機構によってクランプレバーをターンテーブルに対して近接させた場合に、第２のカム機構によって搬送ローラが回動されて、該大径ディスクの調芯およびチャッキングが実行される、こととしたものである。
【００１６】
さらに、他の発明は、上述の各発明に加えて更に、クランパが大径ディスクに接触するときに、駆動力伝達切替機構によって搬送ローラへの駆動力が非伝達となるものである。
【発明の効果】
【００１７】
本発明によると、簡易な構成で大径ディスクを安定的にクランプすることができる。また、クランプの信頼性も高い状態にすることができる。
【発明を実施するための最良の形態】
【００１８】
以下、本発明の一実施の形態に係るディスク再生装置について、図１から図２６に基づいて説明する。図１は、本発明のディスク再生装置１０の構成を示す分解斜視図である。このディスク再生装置１０は、ＣＤ（Compact Disc）やＤＶＤ（Digital Versatile Disc）等のディスク１１（図２、図３他参照）を再生するものである。
【００１９】
ディスク１１には、直径が８ｃｍの小径ディスク１１ａ（図２（ｂ）他参照）と、直径が１２ｃｍの大径ディスク１１ｂ（図２（ａ）他参照）とがある。これら小径ディスク１１ａと、大径ディスク１１ｂの中心部分には、共に孔部１１ｃが空いている（図１５参照）。この孔部１１ｃに対して、後述する環状凸部３７ａが差し込まれる。
【００２０】
なお、以下の説明では、小径ディスク１１ａと大径ディスク１１ｂとをまとめてディスク１１ともいう場合がある。また、ディスク再生装置１０で再生されるディスク１１（記録媒体）は、ＣＤやＤＶＤ（Digital Versatile Disc）には限られず、ＣＤ−ＲやＤＶＤ−Ｒ、ＤＶＤ−ＲＷ等の他の円盤状体を有する記録媒体でも良い。
【００２１】
また、以下の説明では、上側（上方側）とは、ディスク１１が水平状態となる向きにディスク再生装置１０を配置したときに、後述するターンテーブル３７からクランパ３４に向かう方向を指す（図４参照）。また、下側（下方側）とは、同じく、クランパ３４からターンテーブル３７に向かう方向（メインシャーシ１８の底面１８ａ側（図２４参照））を指す。さらに、奥側とは、ディスク１１がディスク再生装置１０の内部に搬入される際の該ディスク１１の進行方向の側を指し、手前側とは、搬入される際の当該進行方向の逆側（ディスク差込口１９側）を指す。
【００２２】
同様に、下向きとは、ディスク１１が水平状態となる向きにディスク再生装置１０を配置したときに、クランパ３４からターンテーブル３７に向かう方向を指す。また、上向きとは、これと逆の方向を指す。
【００２３】
ディスク再生装置１０は、図１に示すように、アウターシャーシ部材１２と、フロントシャーシ部材１３と、ディスクガイド部材１４と、フローティング部材１５と、ローラレバー部材１６と、メカ基板１７とを有している。フローティング部材１５は、メインシャーシ１８を備えている。このメインシャーシ１８に、ディスクガイド部材１４、ローラレバー部材１６、メカ基板１７、および後述するクランプレバー３０等の各種部材が取り付けられる。
【００２４】
また、アウターシャーシ部材１２は、その側壁２０ａ，２０ｂでダンパ２１及びバネ２２を介してフローティング部材１５を支持している。本実施の形態では、フローティング部材１５の４隅の近傍に、夫々１つずつ、計４つのダンパ２１及びバネ２２が設けられている。ダンパ２１には、差込穴２１ａが設けられていて、フローティング部材１５の支持軸２３が差し込まれる。支持軸２３は、フローティング部材１５側に存するピン状部材であり、フローティング部材１５から側方に向かって突出している。かかるダンパ２１の弾性変形が、該バネ２２の弾性力に抗する抵抗となる。
【００２５】
また、バネ２２は、その一端側がアウターシャーシ部材１２のバネ係止部２４に掛け止めされると共に、その他端側は、フローティング部材１５のバネ係止部２５に掛け止めされる。それにより、フローティング部材１５は、アウターシャーシ部材１２に対してフローティング状態で支持可能となる。なお、後述するように、フローティング状態を切り替える機構（ロックアーム１６０、リアロックアーム１９０等）によって、アウターシャーシ部材１２に対するフローティング部材１５のフローティング状態、および固定状態が切替可能となっている。
【００２６】
また、図１に示すように、アウターシャーシ部材１２の開放側面には、例えばネジ２６ａ等によってフロントシャーシ部材１３が取り付けられる。フロントシャーシ部材１３は、アウターシャーシ部材１２との間で、ディスク差込口１９を形成する部分である。すなわち、このフロントシャーシ部材１３の取付部位が、ディスク再生装置１０における前面側となり、ここに形成されるディスク差込口１９からディスク１１の差し込みを行える。
【００２７】
フローティング部材１５には、手前側（ディスク差込口１９側）の上方を覆うように、例えばネジ２６ｂ等の固定手段によってディスクガイド部材１４が取り付けられる。ディスクガイド部材１４は、ディスクガイド手段としての機能を有していて、大径ディスク１１ｂおよび小径ディスク１１ａのディスク再生装置１０の内部への搬入をガイドする。
【００２８】
ここで、図２に示すように、ディスクガイド部材１４は、小径ディスク１１ａと大径ディスク１１ｂの搬入を切り分けることを可能としている。すなわち、大径ディスク１１ｂの搬入の場合には、図２（ａ）に示すように、ディスクガイド部材１４の側面側に存在する大径ディスクガイド部２７によって、搬入の先端部分（ディスク再生装置１０の奥側）が小径ディスク１１ａ搬入の場合よりも、下方側に位置する。
【００２９】
また、小径ディスク１１ａ搬入の場合には、図２（ｂ）に示すように、大径ディスク１１ｂの搬入の場合と比較すると、ディスクガイド部材１４の中央側に存在する小径ディスクガイド部２８によって、小径ディスク１１ａの搬入の先端部分が、上方側に位置する。すなわち、図２に示すように、各ディスク１１ａ，１１ｂが水平であった場合の該ディスク１１ａ，１１ｂの上面の延長線を延長線Ｌとすると、この延長線Ｌに対する大径ディスク１１ｂの先端部での上面との距離ｇ１が、小径ディスク１１ａの先端部での上面との距離ｇ２に比べ大きくなっている。
【００３０】
なお、図１および図２に示すように、ディスクガイド部材１４は、ディスク１１の搬入の中央部よりも、側方部が、断面形状が長くなっている。図２では、夫々ディスク１１の搬入方向に沿った、大径ディスクガイド部２７の側断面図（図２（ａ））、および小径ディスクガイド部２８の側断面図（図２（ｂ））を示している。図２（ａ）は、ディスクガイド部材１４の両側方部分の断面図で、図２（ｂ）は、ディスクガイド部材１４の略中央の断面図である。
【００３１】
また、ディスクガイド部材１４の取り付けに先立って、フローティング部材１５には、ローラレバー部材１６が取り付けられる。ローラレバー部材１６は、図１に示すように、フローティング部材１５のうち、手前側に取り付けられる。このローラレバー部材１６は、後述するように、回転軸１４０（図１６参照）を中心として回動する。それにより、ディスク１１に当接する搬送状態とディスク１１から離れるチャッキング状態とが切り替え可能である。
【００３２】
また、フローティング部材１５の下面側には、例えばネジ２６ｃ等により、メカ基板１７が取り付けられる。メカ基板１７は、例えばスピンドルモータ３８（図２５参照）といった、フローティング部材１５に存在するメカ的な機構を支持している。
【００３３】
フローティング部材１５には、図３に示すような、クランプレバー組立体（以下、クランプレバー３０と呼ぶ。）が、回動支点３１及び一対の回動軸３２（図４参照）を介して回動自在に支持されている。回動支点３１は、クランプレバー３０の両側部分に位置し、孔部分（不図示）を有している。この孔部分に、フローティング部材１５側に存在する回動軸３２が挿通される。それによって、クランプレバー３０がフローティング部材１５に対して回動自在となっている。
【００３４】
クランプレバー３０には、板バネ３３が取り付けられている。板バネ３３は、図３に示すように、クランプレバー３０が取り付けられている一端側と反対側の他端側が突出ピン３３ａとなっていて、この突出ピン３３ａが、後述するカム部材８３に形成されたカム溝８６を摺動する。この摺動により、クランプレバー３０は回動支点３１を中心として、図３の紙面と垂直方向（法線方向）に回動することが可能である。なお、この突出ピン３３ａと、カム部材８３とによって、カム機構が構成されている。
【００３５】
また、図４に示すように、クランプレバー３０には、ディスク１１をターンテーブル３７に対して圧接させるためのクランパ３４が設けられている。クランパ３４は、取付金具３５によって回転自在、かつ傾斜自在に支持されている（図４参照）。このクランパ３４は、図５に示すように、ディスク１１の上面に当接する鍔部３４ａを有すると共に、該鍔部３４ａの内方には、後述するターンテーブル３７の環状凸部３７ａを嵌め込むための環状凹部３４ｂが設けられている。環状凹部３４ｂは、本実施の形態では、環状凸部３７ａの断面形状に対応して、その断面が略三角形状の窪みとなっている。
【００３６】
なお、クランパ３４のうち、環状凹部３４ｂよりも中心寄りの中央部は、ディスク１１の孔部１１ｃに入り込むように、鍔部３４ａの下面よりも、図５において下方に突出している。この中央部のうち、径方向の中心側には、中心凹部３４ｃが設けられている。中心凹部３４ｃは、ターンテーブル３７の中心凸部３７ｂが嵌合される部分である。
【００３７】
また、図５に示すように、ディスク１１を載置可能なターンテーブル３７は、スピンドルモータ３８の回転軸（不図示）に取り付けられている。そして、ディスク１１の圧接状態で、ターンテーブル３７がスピンドルモータ３８によって回転駆動されると、ディスク１１及びこのディスク１１を圧接しているクランパ３４が回転駆動され、該ディスク１１の再生が行える状態となる。このターンテーブル３７には、径方向の中心側に、図５において上方側に向かって突出する、環状凸部３７ａが設けられている。環状凸部３７ａは、上述した環状凹部３４ｂに嵌め込まれる部分である。
【００３８】
この環状凸部３７ａの内径側には、図５において上方側に向かって突出する、中心凸部３７ｂが設けられている。中心凸部３７ｂは、上述した中心凹部３４ｃに嵌め込まれる部分である。なお、ディスク１１のチャッキングに際しては、鍔部３４ａとターンテーブル３７の上面との間でディスク１１を挟持した状態で、環状凹部３４ｂおよび中心凹部３４ｃに、夫々環状凸部３７ａおよび中心凸部３７ｂが嵌め込まれる。それにより、クランパ３４が傾かずに、その姿勢が安定する。
【００３９】
また、ターンテーブル３７のうち、環状凸部３７ａよりも外径側には、ディスク載置部３７ｃが位置している。ディスク載置部３７ｃは、ディスク１１の下面を受け止める部分である。また、ディスク載置部３７ｃの上面には、滑り止め部としてのフリクションシート３９が貼設されている。フリクションシート３９は、ディスク１１のスリップ防止を目的とするために、例えばゴム部材といった、摩擦係数が大きな材質から構成されている。
【００４０】
図３に示すように、クランプレバー３０には、その中央部分に、ディスク１１の挿入方向に倣って湾曲孔３６が形成されている。湾曲孔３６はクランプレバー３０を上下方向に貫通している。それにより、後述するクランプ爪５０（図６参照）を、ターンテーブル３７側に突出させることが可能である。ここで、クランプ爪５０は、後述するように、トリガアーム４０の回転軸４０ａを中心として揺動するものである。かかる揺動に対応させて、湾曲孔３６は、その平面形状が略円弧形状となるように形成されている。
【００４１】
なお、本実施の形態では、湾曲孔３６は、ディスク再生装置１０の幅方向のうち、略中央部分を貫く中心線Ｌ（図３参照）にほぼ沿うように形成されている。
【００４２】
図３に示すように、クランプレバー３０には、回転軸４０ａを中心として揺動可能に、回動部材としてのトリガアーム４０が取り付けられている。トリガアーム４０は、回転軸４０ａを境にして、図３中左側が第１の揺動部４１、図３中右側（トリガスライダ６１側）が第２の揺動部４２とに分けられる。
【００４３】
また、トリガアーム４０は、本実施の形態では、その平面形状が長尺の湾曲形状を為している。また、このトリガアーム４０に対して、回転軸４０ａは、後述するトリガスライダ６１側（図６、図９参照）に偏心して取り付けられている。すなわち、第１の揺動部４１側が、第２の揺動部４２側よりも長くなるように設けられている。それによって、第１の揺動部４１側は、後述する大径ディスク１１ｂおよび小径ディスク１１ａの搬入に対応して揺動し、さらに第２の揺動部４２は、トリガスライダ６１側でのスライドを引き起こすために適切な範囲の揺動を行う。
【００４４】
第１の揺動部４１のうち、回転軸４０ａ側であって、かつ奥側には、下方に向かってディスク係合部４３が設けられている（図３、図５及び図６参照）。ディスク係合部４３は、大径ディスク１１ｂの外周縁部（先端側）の保持に対応する部分であり、そのため後述するクランプ爪５０よりも下方側に突出して設けられている。また、図７に示すように、ディスク係合部４３には、ディスク保持部４４が設けられている。ディスク保持部４４は、その上面側で大径ディスク１１ｂの外周縁部（先端側）の下面側を保持する。それによって、大径ディスク１１ｂは、ディスク差込口１９から搬入され、ディスク再生装置１０の内部に向かって進行しても、該大径ディスク１１ｂの傾斜が一定範囲内に抑えられる。
【００４５】
なお、図４（ａ）に示すように、大径ディスク１１ｂは、搬入に際しては、フリクションシート３９に対して所定の隙間を有しながら、ターンテーブル３７に対して傾斜している。しかしながら、搬送ローラ１４５およびクランパ３４が降下して大径ディスク１１ｂの調芯が実行されると、図４（ｂ）および図５に示すように、大径ディスク１１ｂとターンテーブル３７とは、略水平を為す状態となる。また、図７に示すように、本実施の形態では、ディスク保持部４４は、ディスク係合部４３に対して所定の高さ位置に設けられている。この高さ位置は、大径ディスク１１ｂが調芯されるに際して、該大径ディスク１１ｂが、フリクションシート３９に接触せず略水平を保つ位置となっている。また、ディスク係合部４３と、ディスク保持部４４とによって、先端保持手段が構成される。
【００４６】
また、ディスク保持部４４は、ディスク係合部４３から、中心線Ｌに向かって突出している。そして、図７（ａ）に示す状態においては、ディスク係合部４３よりも、僅かにディスク差込口１９側に向かって突出している。それにより、ディスク保持部４４の軸線Ｐの軸線方向は、図７（ａ）において、大径ディスク１１ｂの中心に向かう状態となる。これと共に、大径ディスク１１ｂの搬入により、所定だけ大径ディスク１１ｂが回動させられた場合には、該軸線Ｐの軸線方向は、大径ディスク１１ｂの中心に向かわずに、所定の角度を為す状態となる。それによって、ディスク保持部４４は、大径ディスク１１ｂの下面に当接している状態から、非当接の状態となるまでの移動距離が少なくなる。
【００４７】
しかしながら、ディスク保持部４４は、図７に示すものには限られず、後述するように、チャッキング時に大径ディスク１１ｂの下面から良好に離間するものであれば、どのような構成であっても良い。その一例としては、ディスク保持部４４を、中心線Ｌ側に突出させずに、ディスク差込口１９側に突出させるように構成しても良い。
【００４８】
また、第１の揺動部４１のうち、その突出端部側には、小径側先端保持手段としてのクランプ爪５０が設けられている。クランプ爪５０は、トリガアーム４０の下面側（メカ基板１７側）に向かって突出する突出部４５に取り付けられている（図７、図８参照）。突出部４５は、小径ディスク１１ａの外周縁部を、後述する係止壁５３で係止するのに良好な分だけ突出している。
【００４９】
このクランプ爪５０は、図６〜図８に示すように、爪本体部５１と、ディスク受け部５２とを有している。このうち、爪本体部５１は、ディスク受け部５２よりも厚肉の部分であり、その一端側で突出部４５と連結されている。なお、爪本体部５１と突出部４５とは、本実施の形態では固定的となっている。しかしながら、爪本体部５１は突出部４５を中心として回動するように構成しても良い。
【００５０】
また、ディスク受け部５２は、爪本体部５１よりも薄肉の部分であり、小径ディスク１１ａの下面側に当接して該小径ディスク１１ａの下面側を受け止める部分である。ディスク受け部５２の下面側は、爪本体部５１の下面と面一に設けられている。また、ディスク受け部５２の上面側は、爪本体部５１よりも低くなる（メカ基板１７側に位置する）ように設けられている。このディスク受け部５２と爪本体部５１との間には、段差が存在していて、この段差を構成する壁面が、小径ディスク１１ａの外周縁部に当接する係止壁５３となっている。なお、係止壁５３は、次に述べるディスク当接部５４の側壁である。
【００５１】
爪本体部５１には、ディスク当接部５４が設けられている。ディスク当接部５４は、爪本体部５１のうち、ディスク受け部５２側（手前側であるディスク差込口１９側）に突出している部分である。ディスク当接部５４は、先細り形状となるようにディスク受け部５２側へ突出している。また、ディスク当接部５４の先端部分の平面形状は、尖状ではなく曲線状となっている。それにより、係止壁５３が小径ディスク１１ａの外周縁部に当接し易い構成となっている。すなわち、トリガアーム４０が回動した場合でも、係止壁５３が小径ディスク１１ａの外周縁部に良好に当接可能となっている。
【００５２】
また、爪本体部５１の上面には、トリガ側バネ係止部５５が設けられている。トリガ側バネ係止部５５は、戻しバネ５７（図３参照）の一端側を掛け止めする部分である。また、湾曲孔３６のうち、その手前側であって、図３中右側の側縁部分からは、クランパ側バネ係止部５６が突出している。このクランパ側バネ係止部５６に戻しバネ５７の他端側を掛け止めすることにより、トリガアーム４０には、図３において反時計回りの付勢力が与えられる。
【００５３】
なお、図３に示すように、クランプレバー３０の上面のうち、湾曲孔３６に近接する部位には、位置決め突起５８が上方に向かい突出している。この位置決め突起５８には、トリガアーム４０の手前側の側縁が衝突する構成である。それにより、ディスク１１の搬入前における、トリガアーム４０の初期位置が定められる。
【００５４】
図６に示すように、トリガアーム４０のうち第２の揺動部４２には、回転軸４０ａと先端突起４８との間の位置であって、該先端突起４８寄りの位置にスライダ用突起４６が設けられている。スライダ用突起４６は、後述するトリガスライダ６１の係合部６７に係合する部分である。かかる係合のために、スライダ用突起４６は、トリガスライダ６１の係合部６７と良好に係合する突出長さを有している。また、係合部６７への係合に対応させて、その突出端部から所定の長さだけ、手前側からディスク再生装置１０の奥側に向かって切り欠かれた切欠部４７をその先端側に有している。
【００５５】
また、図６、図７および図９に示すように、第２の揺動部４２のうち、その突出端部側には、先端突起４８が設けられている。先端突起４８は、後述するカム部材８３の係合ピン８９と係合する部分である。先端突起４８は、トリガアーム４０の他の部分よりも下方側に位置し、かつ側壁２０ａ（図１参照）に向かって突出している。
【００５６】
また、図６、および図９〜図１１に示すように、ディスク再生装置１０の内部には、スライド部材としてのローディングスライダ部材６０が設けられる。ローディングスライダ部材６０は、トリガスライダ６１と、ローディングスライダ７０とから構成されている。これらトリガスライダ６１と、ローディングスライダ７０とが重ねられて、ローディングスライダ部材６０が構成されている。
【００５７】
さらに、トリガスライダ６１とローディングスライダ７０の間には、連動バネ９０が設けられている（図６、図９参照）。連動バネ９０の一端側は、トリガスライダ６１の第１のバネ受け部６２に掛け止めされ、その他端側は、ローディングスライダ７０の第２のバネ受け部７４に掛け止めされる。この連動バネ９０の存在により、両スライダ６１，７０は互いに付勢力を与えながら連動し、また初期の互いの相対位置が定められる。
【００５８】
また、ローディングスライダ７０側の第２のバネ受け部７４は、後述する突出用孔６５に位置している（図６、図９及び図１０参照）。第２のバネ受け部７４は、突出用孔６５から上方に向かって突出している。なお、第２のバネ受け部７４が突出用孔６５から突出することにより、該トリガスライダ６１とローディングスライダ７０との間の相対的な移動距離を規制することもできる。また、第１のバネ受部６２は、後述するラックギヤ６８の付け根近傍に設けられている。
【００５９】
トリガスライダ６１は、図６、および図９〜図１１に示すように、樋溝状のスライドガイド部６３と、このスライドガイド部６３からディスク再生装置１０の内方側に向かう延出部６４と、を有している。なお、ディスク再生装置１０の内部においては、スライドガイド部６３は、ローディングスライダ７０の側辺部に覆い被さるように設けられる。また、延出部６４は、その外観が略三角形状であり、側壁２０ａ側に向かって延伸している。延出部６４の中央部分には、突出用孔６５が設けられている。突出用孔６５は、奥側が矩形であると共に、手前側にくるほど幅狭となる尖形（略三角形状）となっている。
【００６０】
また、延出部６４の奥側には、当接片６６（図１０、図１１参照）が設けられている。当接片６６は、延出部６４をコ字状に切り欠くと共に、該延出部６４に対して垂直となるように折れ曲がっている。この当接片６６は、後述するローディングスライダ７０の当接部７５に当接するものであり、そのため下方側を向くように折り曲げられている。
【００６１】
また、延出部６４の最も側壁２０ａ側には、外観が矩形状の係合部６７が設けられている。係合部６７は、スライダ用突起４６が係合する部分である。かかる係合を良好とするために、係合部６７は、延出部６４の他の部分よりも隆起するように上方に折り曲げられている。それによって、スライダ用突起４６の切欠部４７が係合部６７に係合した場合でも、該スライダ用突起４６の先端部分が、ローディングスライダ７０と干渉しない構成となっている。
【００６２】
また、トリガスライダ６１のうち、手前側かつ側壁２０ａ側には、延出部６４に連なるようにラックギヤ６８が設けられている。ラックギヤ６８は、後述するピニオンギヤ１２５（図１０参照）と噛合するものである。また、図１４に示すように、ラックギヤ６８、ピニオンギヤ１２５、ならびに複数の従動ギヤからなるギヤ輪列１２２によって、スライド用駆動伝達手段が構成される。なお、ピニオンギヤ１２５との接離を良好とするために、ラックギヤ６８の先端部分には、トリガスライダ６１の他の部分が連なっていない。
【００６３】
また、トリガスライダ６１に重ねられるローディングスライダ７０は、図６、および図９〜図１１に示すように、トリガスライダ６１よりも幅広となるように設けられている。また、ローディングスライダ７０は、ディスク再生装置１０の中央側が、スライドガイド部６３で覆われる側辺部７１となっている。
【００６４】
ローディングスライダ７０のうち、側辺部７１の手前側には、スイッチ当接部７２が設けられている。スイッチ当接部７２は、次に述べるプレート部７３が側辺部７１側に向かって切り欠かれて形成されている。スイッチ当接部７２は、メカ基板１７に取り付けられている、終了検出スイッチ９１（図９参照）に衝突する部分である。終了検出スイッチ９１がスイッチ当接部７２により押されると、後述するローディングモータ１２０（図９参照）が作動停止となる。すなわち、終了検出スイッチ９１は、ローディングスライダ７０のスライド終了位置（ローディング終了位置）を検出し、該ローディングモータ１２０の作動を停止させる。
【００６５】
なお、スイッチ当接部７２が終了検出スイッチ９１を押し込んで、ローディングモータ１２０が作動停止となるとき、ディスク受け部５２が小径ディスク１１ａの下面に接触している状態が解除され、該ディスク受け部５２が小径ディスク１１ａの外径側に逃げた状態となるように構成されている。
【００６６】
また、図６、図９〜図１１に示すように、ローディングスライダ７０は、側辺部７１から側壁２０ａ側に向かうプレート部７３を有している。プレート部７３には、上述したように、第２のバネ受け部７４が形成されている。第２のバネ受け部７４は、プレート部７３のうち、側辺部７１側かつ奥側に位置していて、当接片６６が後述する当接部７５に当接した場合でも、突出用孔６５から良好に突出するように設けられている。また、プレート部７３のうち、後端側（ディスク１１の差し込みの奥側）の側縁は、当接片６６が当接する当接部７５となっている。すなわち、当接部７５に当接片６６が当接することで、ローディングスライダ７０がトリガスライダ６１によって手前側に押し込まれる。
【００６７】
プレート部７３には、長孔状の打ち抜き部７６が形成されている。打ち抜き部７６のうち手前側は、長孔部７７となっている。また、打ち抜き部７６のうち長孔部７７よりも手前側から奥側は、幅広な拡幅孔部７８となっている。拡幅孔部７８には、後述するピニオンギヤ１２５が位置可能である。すなわち、ピニオンギヤ１２５は、下方から上方に向かうように拡幅孔部７８に差し込まれ、ラックギヤ６８と噛み合うことが可能である。
【００６８】
また、打ち抜き部７６のうち、拡幅孔部７８に連なる奥側には、カム溝部７９が設けられている。カム溝部７９は、後述するドライブアーム１００のピン１０７が差し込まれる。カム溝部７９は、図６、図１０および図１１に示すように、拡幅孔部７８から奥側に向かうにつれて、拡幅孔部７８よりも側壁２０ａ側に向かうように形成されている。
【００６９】
なお、図１０および図１１に示すように、カム溝部７９のうち、拡幅孔部７８側の基端部７９ａは、ディスク１１の差し込み方向に平行となっている。また、基端部７９ａに連なって、側壁２０ａ側に徐々に近づいていくテーパ部７９ｂが設けられている。さらに、テーパ部７９ｂに連なって、ディスク１１の差し込み方向に平行な先端部７９ｃが設けられている。
【００７０】
また、図６、図９〜図１１に示すように、プレート部７３よりも側壁２０ａ側には、カム用延伸部８０が設けられている。カム用延伸部８０の付け根部分は、プレート部７３よりも下方に向かって折り曲げられた下底部８１となっている。下底部８１は、上述の係合部６７およびスライダ用突起４６が位置する部分であり、該スライダ用突起４６の先端部が干渉しないように、ローディングスライダ７０の他の部分より下降している。
【００７１】
また、下底部８１から上昇するように、該下底部８１に連なってカム取付部８２が設けられている。カム取付部８２は、例えばネジ等（不図示）を介して、図９および図１２に示すカム部材８３を取り付ける部分である。カム部材８３は、カム取付部８２への取り付けのための係止部８４を有している。また、係止部８４から上方に向かうように、カム本体部８５が設けられている。カム本体部８５には、図１２に示すように、カム溝８６が設けられている。カム溝８６は、上述の突出ピン３３ａが差し込まれる部分である。そのため、カム溝８６は、ディスク再生装置１０の手前側が開放された溝となっている。
【００７２】
カム溝８６は、図１２に示すように、ディスク１１の差し込みの手前側が高く、該差し込みの奥側に向かうにつれて下降するように形成されている。なお、カム溝８６は、傾斜角度の大きな急傾斜部８６ａと、傾斜角度の緩やかな緩傾斜部８６ｂと、メカ基板１７の面と略並行を為すと共に、高さ位置が最も低い平行部８６ｃとから構成されている。
【００７３】
かかるカム溝８６のうち、手前側の急傾斜部８６ａの近傍には、カム溝８６の下面中、最も高い位置となる頂点８６ｄが設けられている。この頂点８６ｄよりも手前側には、ローディングスライダ７０がスライドする前のディスク搬入時において、突出ピン３３ａを安定的に受け止めるピン受部８７が存在している。
【００７４】
ここで、カム溝８６内を突出ピン３３ａが摺動すると、クランプレバー３０が下方に降下する。すると、ディスク１１がクランパ３４によって圧接され、ディスク１１の調芯が為され、次にディスク１１のチャッキングが為される。この調芯が為されるときに、搬送ローラ１４５の駆動が停止されるように構成するのが、好ましい。
【００７５】
また、図９に示すように、カム部材８３には、奥側に向かって後方突出部８８が設けられている。後方突出部８８の先端部分には、上方に向かうように係合ピン８９が設けられている。係合ピン８９は、上述した先端突起４８が係合する部分である。この係合状態は、図１に示すように、先端突起４８が係合ピン８９よりも手前側に位置するように係合している。すなわち、ラックギヤ６８とピニオンギヤ１２５との噛み合いによって、ローディングスライダ７０が手前側にスライドした場合に、トリガアーム４０を図３や図９において時計回りに回動させる状態で、係合ピン８９および先端突起４８が係合している。
【００７６】
なお、図９に示すように、カム溝８６は、カム本体部８５を貫通していなく、側壁２０ａ側からは見えない状態となっている。本実施の形態では、このカム本体部８５の側壁２０ａ側には、適宜凹凸が形成されている。
【００７７】
また、メインシャーシ１８には、図９、図１３等に示すような長尺状のドライブアーム１００が取り付けられる。ドライブアーム１００は、その一端側から他端側に向かうに従って、段階的に高さが変化するように設けられている。すなわち、ドライブアーム１００には、一端側から他端側に向けて、回動一端部１０１、中央プレート部１０２、ピン形成部１０３、および回動他端部１０４が設けられている。
【００７８】
このうち、中央プレート部１０２には、その中心部分に軸孔１０５ａが形成されている。軸孔１０５ａには、メインシャーシ１８に取り付けられる回転軸（不図示）が挿通される。それによって、ドライブアーム１００は、該メインシャーシ１８に対して、回転軸を中心に回転自在となる。また、中央プレート部１０２のうち、奥側および手前側には、夫々逃がし孔１０６ａ，１０６ｂが形成されている。逃がし孔１０６ａ，１０６ｂは、後述する回転軸１２６，１２７を挿通させて、該回転軸１２６，１２７がドライブアーム１００と干渉しないようにさせるための部分である。
【００７９】
なお、本実施の形態では、ローディングモータ１２０に近接した位置となる、手前側の逃がし孔１０６ｂの方が逃がし孔１０６ａに比べ、側壁２０ａ側に寄るように形成されている。また、回転軸を良好に逃がすために、逃がし孔１０６ａ，１０６ｂの平面形状は、軸孔１０５ａから一定半径だけ離間した円弧形状となっている。
【００８０】
また、中央プレート部１０２よりも奥側のピン形成部１０３は、該中央プレート部１０２よりも高く設けられていて、該ドライブアーム１００の上方に配置されるローディングスライダ７０に近接している。ピン形成部１０３には、上方に向かってピン１０７が形成されている。ピン１０７は、上述のカム溝部７９に差し込まれる。そのため、ローディングスライダ７０がスライドすると、カム溝部７９の溝形状にピン位置が規制されることで、ドライブアーム１００が回転軸１０５を中心として揺動する。
【００８１】
また、ピン形成部１０３よりも奥側の回動他端部１０４は、上述のピン形成部１０３よりも高さ位置が低くなるように設けられている。回動他端部１０４には、その上面から上方に向かい連結ピン１０８が形成されている。連結ピン１０８は、後述する差込孔１９２（図１４他参照）に差し込まれ、リアロックアーム１９０の回転中心となっている。
【００８２】
中央プレート部１０２よりも手前側には、回動一端部１０１が形成されている。回動一端部１０１は、ドライブアーム１００のうちで、高さ位置が最も低くなるように設けられている。また、回動一端部１０１には、最も手前側に突出するピン係合部１０９が設けられている。ピン係合部１０９は、ローラレバー部材１６の回動用ピン１４７（図１６他参照）に係合する部分である。なお、ドライブアーム１００（ピン係合部１０９）と、回動用ピン１４７とによって、第２のカム機構が構成されている。
【００８３】
図１３に示すように、ピン係合部１０９のうち、回動用ピン１４７に係合する部分が、突出側の外周壁面である係合縁部１０９ａである。この係合縁部１０９ａは、回動用ピン１４７との間の係合を良好にするために、その平面形状が略円弧形状を為している。また、係合縁部１０９ａは、側壁２０ａ側からディスク再生装置１０の中央部に向かうにつれて、奥側に向かうような円弧形状に形成されている。
【００８４】
また、回動一端部１０１には、ディスク再生装置１０の中央部に向かって舌片部１１０が突出している。舌片部１１０は、ドライブアーム１００のうち、最もディスク再生装置１０の中央部寄りに突出している部分である。また、舌片部１１０の上面からは、上方に向かいスライダ用ピン１１１が形成されている。スライダ用ピン１１１は、後述するロックスライダ１５１の貫通溝１５２に差し込まれる（図１７参照）。そして、ドライブアーム１００が回動した場合には、スライダ用ピン１１１の回動によって、ロックスライダ１５１がディスク再生装置１０の幅方向にスライドする。
【００８５】
なお、回動一端部１０１には、軸孔１０５ａを中心とする円弧形状を為す円弧溝１１２が形成されている。円弧溝１１２には、メインシャーシ１８から突出する不図示のピンが差し込まれる。それによって、ドライブアーム１００の一端側における回動が安定的となる。
【００８６】
また、図１に示すメインシャーシ１８には、図９および図１４に示すようなローディングモータ１２０が取り付けられている。ローディングモータ１２０の回転軸１２０ａには、ウオームギヤ１２１が取り付けられていて、ここからローディングスライダ７０側、およびローラレバー部材１６側に、夫々駆動力が分配される。このうち、図１４に示すように、ローディングスライダ７０側へ駆動力を伝達させるために、ウオームギヤ１２１には、従動ギヤ１２３が噛み合っている。
【００８７】
図１４に示すように、この従動ギヤ１２３を含んで、複数の従動ギヤからなるギヤ輪列１２２が設けられていて、このギヤ輪列１２２のうち従動ギヤ１２４と同軸のピニオンギヤ１２５（図１０、図１１参照）に駆動力が伝達される。ピニオンギヤ１２５は、上述の拡幅孔部７８を通過して上方に突出していて、ラックギヤ６８との噛み合いが可能な位置に設けられている。ピニオンギヤ１２５は、ローディングスライダ７０が奥側に位置するときは空転し、ローディングスライダ７０が手前側に位置するときはラックギヤ６８と噛み合って、該ローディングスライダ７０をさらに手前側に引き込む駆動力を与える。
【００８８】
なお、図１４に示すように、従動ギヤ１２３は回転軸１２７に、ピニオンギヤ１２５および同軸の従動ギヤ１２４は回転軸１２６に取り付けられている。回転軸１２６，１２７は、上述の逃がし孔１０６ａ，１０６ｂに位置している。また、従動ギヤ１２３の駆動力は、第２の従動ギヤ１２２ａに伝達されるが、この第２の従動ギヤ１２２ａおよび、従動ギヤ１２４と噛み合う第３の従動ギヤ（図示省略）は、ドライブアーム１００の回転中心ともなる回転軸（不図示）に取り付けられている。
【００８９】
また、図９および図１５に示すように、ウオームギヤ１２１の上部側には、小ウオームホイール１２８が位置していて、以下ギヤ輪列１２９（従動ギヤ１３０、従動ギヤ１３１）を介して駆動力がローラレバー部材１６側に伝達される。このうち従動ギヤ１３１は、後述するローラシャフト１４３と同軸のローラギヤ１３２と噛み合っている。それにより、ローディングモータ１２０の駆動力がローラシャフト１４３に伝達される。
【００９０】
図１に示すように、フローティング部材１５のうち手前側には、ローラレバー部材１６が設けられている。ローラレバー部材１６は、回転軸１４０（図１６参照）を介して、回動自在に支持されている。ローラレバー部材１６には、図９および図１５に示すように、搬送ローラ１４５を回転自在に支持するためのローラ支持体１４１が設けられている。ローラ支持体１４１は、例えば樹脂等で一体成形されている部材であり、その手前側は、ディスク１１の差し込みに対応させて、開放した形状となっている。なお、ローラレバー部材１６、ローディングモータ１２０、ウオームホイール１２８、ギヤ輪列１２９、ローラギヤ１３２によって、ディスク搬送機構が構成される。また、従動ギヤ１３１とローラギヤ１３２とによって、駆動力伝達切替機構が構成される。
【００９１】
また、ローラ支持体１４１のうち、ディスク再生装置１０の幅方向の両端側には、ローラシャフト１４３を回転自在に軸支する側方支持部１４２が一対形成されている。この一対の側方支持部１４２により、ローラシャフト１４３は回転自在に支持されている。
【００９２】
また、ローラシャフト１４３は、側方支持部１４２のうち、ディスク再生装置１０の奥側に取り付けられている。そのため、回転軸１４０を中心としてローラレバー部材１６が回動すると、ローラシャフト１４３（搬送ローラ１４５）が、上下方向に移動する。また、ローラシャフト１４３の図９および図１５中右側の端部には、側方支持部１４２よりも側壁２０ａ側に突出するように、上述のローラギヤ１３２が取り付けられている。
【００９３】
ローラシャフト１４３には、ローラカバー１４４がその外周を覆うように取り付けられている。ローラカバー１４４は、例えばゴムや樹脂等のように、ディスク１１の下面に接触しても損傷を生じさせない柔らかめの材質であって、ディスク１１の下面に当接した場合に摩擦力を良好に与える材質から構成されている。それにより、これらローラシャフト１４３とローラカバー１４４とで、ローラ体としての搬送ローラ１４５を構成している。
【００９４】
また、ローラ支持体１４１のうち、手前側かつ下方側であり、図９および図１５においてディスク再生装置１０の中央よりも右側には、突出部１４６が設けられている。突出部１４６は、図１６に示すように、ローラ支持体１４１よりも下方に向かって突出していると共に、その底面が、該ローラ支持体１４１の底面に対して所定角度傾斜している。
【００９５】
また、突出部１４６の下面からは、その手前側において、下方に向かう回動用ピン１４７が設けられている。回動用ピン１４７は、図１６に示すように、突出部１４６の底面に対して略垂直を為すように設けられている。回動用ピン１４７は、上述したドライブアーム１００のピン係合部１０９に係合する部材である。すなわち、回動用ピン１４７は、ドライブアーム１００が回動してピン係合部１０９が回動用ピン１４７を押すことで、回転軸１４０を中心としてローラ支持体１４１を回動させる部材である。
【００９６】
なお、回動用ピン１４７とピン係合部１０９とが係合し、ローラレバー部材１６を回動させることにより、従動ギヤ１３１とローラギヤ１３２とが接離する。かかる接離は、小径ディスク１１ａの搬入においては、該小径ディスク１１ａの孔部１１ｃの中心と、ターンテーブル３７の中心とが略一致する状態で、環状凸部３７ａが孔部１１ｃに差し込まれたときに、両ギヤ１３１，１３２の噛み合いが解かれるように構成されている。
【００９７】
なお、突出部１４６には、該回動用ピン１４７よりも手前側の部位に、防御部材１４８が設けられている。それによって、回動用ピン１４７が外部から付勢されるのを防止している。また、ローラレバー部材１６は、回動用ピン１４７を奥側に向かうように付勢力を与える、すなわち図１６で反時計方向に回転させようとする不図示のバネに接続されている。それによって、後述するディスク１１の排出の場合には、回動用ピン１４７を奥側の初期位置に位置させるよう、作動させることが可能となる。
【００９８】
また、図１４に示すように、ローラレバー部材１６よりも下方側には、フロント側メカロック機構１５０が設けられている。フロント側メカロック機構１５０は、図１４および図１７〜図２０に示すように、プレート状部材からなるロックスライダ１５１を有している。ロックスライダ１５１は、上述のスライダ用ピン１１１が挿通する貫通溝１５２を有している。貫通溝１５２は、ロックスライダ１５１のうち、奥側に位置していると共に、図２０において右側（図１４および図１７において左側）に位置している。なお、この貫通溝１５２は、ディスク１１の差し込み方向が長手となっている。
【００９９】
また、ロックスライダ１５１のうち、手前側には、一対のＴ字状溝１５３ａ，１５３ｂが形成されている。Ｔ字状溝１５３ａ，１５３ｂは、その平面形状がＴ字状を為している。このＴ字状溝１５３ａ，１５３ｂは、横溝部１５４と縦溝部１５５とから構成されていて、これら横溝部１５４と縦溝部１５５とがＴ字状に交差している。このうち横溝部１５４は、ディスク再生装置１０の幅方向を長手としていると共に、縦溝部１５５は、ディスク１１の差し込み方向を長手としている。
【０１００】
しかしながら、ドライブアーム１００側のＴ字状溝１５３（以下、第１のＴ字状溝１５３ａとする。）は、縦溝部１５５が横溝部１５４よりも手前側に位置する構成である。また、ドライブアーム１００から離間する側のＴ字状溝１５３（以下、第２のＴ字状溝１５３ｂとする。）は、縦溝部１５５が横溝部１５４よりも奥側に位置する構成である。
【０１０１】
また、ロックスライダ１５１には、奥側に一対のスライドガイド孔１５６が形成されている。スライドガイド孔１５６は、ロックスライダ１５１のディスク再生装置１０の幅方向に向かうスライドを良好にガイドする孔である。そのため、一対のスライドガイド孔１５６は、ディスク再生装置１０の幅方向を長手としている。また、スライドガイド孔１５６には、メインシャーシ１８から突出する一対のガイドピン１５７が挿入される。
【０１０２】
図１４、図１７〜図２０に示すように、ロックスライダ１５１に重ねられて、一対のロックアーム１６０が設けられている。ロックアーム１６０は、夫々平板部１６１を有していて、該平板部１６１の上面からリング状突起１６２（図１７〜図２０参照）が突出している。リング状突起１６２は、フローティング部材１５の凹部に嵌合する部分である。それにより、リング状突起１６２を中心としてロックアーム１６０が回転可能となる。
【０１０３】
なお、以下の説明においては、ドライブアーム１００側に位置するロックアーム１６０を第１のロックアーム１６０ａ、ドライブアーム１００から離間する側に位置するロックアーム１６０を第２のロックアーム１６０ｂと呼ぶ。また、第１および第２のロックアーム１６０ａ，１６０ｂを総称する場合には、単にロックアーム１６０と呼ぶ。
【０１０４】
また、平板部１６１には、手前側に向かう腕部１６３が連なっている（図１４、図１７〜図１９参照）。腕部１６３には、その先端側かつ互いに対向しない側方部分に、夫々挟持部材１６４が取り付けられている。挟持部材１６４は、図２１に示すように、ディスク差込口１９（図２０参照）よりも下方に位置する固定板バネ１７０ａ，１７０ｂに挟持される。ここで、固定板バネ１７０ａ，１７０ｂは、ディスク再生装置１０の上下方向で対向するように、一対設けられている。なお、上方に位置するものを固定板バネ１７０ａ、下方に位置するものを固定板バネ１７０ｂとする。
【０１０５】
また、対向している両固定板バネ１７０ａ，１７０ｂの両端側は、互いに近接するように折り曲げられている。なお、これら固定板バネ１７０ａ，１７０ｂが近接対向している部位は、挟持部材１６４を挟持するためのインサート部１７１となっている。
【０１０６】
図１４、図１７〜図１９に示すように、ロックアーム１６０の下面には、縦溝部１５５に差し込まれるピン部材１６５ａ，１６５ｂが、メインシャーシ１８に向かうように設けられている。かかるピン部材１６５ａ，１６５ｂのうち、第１のロックアーム１６０ａのピン部材１６５ａは、第１のＴ字状溝１５３ａの縦溝部１５５が横溝部１５４よりも手前側に存在するため、リング状突起１６２よりも手前側に位置している。また、第２のロックアーム１６０ｂのピン部材１６５ｂは、第２のＴ字状溝１５３ｂの縦溝部１５５が、横溝部１５４よりも奥側に存在するため、リング状突起１６２よりも奥側に位置している。
【０１０７】
かかる配置のピン部材１６５ａ，１６５ｂが、縦溝部１５５に差し込まれることで、ロックスライダ１５１がディスク再生装置１０の幅方向にスライドした場合に、一対の挟持部材１６４は、互いに近接または離間する、開閉動作を行う。また、この開閉動作のうち、一対のロックアーム１６０ａ，１６０ｂが開いている状態では、挟持部材１６４がインサート部１７１に挟まれた、フローティング部材１５のフローティングロック状態（非フローティング状態）となっている。また、一対のロックアーム１６０ａ，１６０ｂが閉じている状態では、挟持部材１６４がインサート部１７１から外れて、フローティング部材１５の手前側がフローティング状態となる。
【０１０８】
また、ディスク差込口１９の下方には、図２２に示すような、ディスク径検出機構１８０が設けられている。ディスク径検出機構１８０は、図１５および図２２に示すような一対の検出スライダ１８１ａ，１８１ｂを具備している。検出スライダ１８１ａ，１８１ｂは、共に付勢バネ１８２（図２２参照）の一端側に掛け止めされている。２つの付勢バネ１８２の各他端側は、係止部１５ａ（図２２参照）に掛け止めされている。それにより、一対の検出スライダ１８１ａ，１８１ｂには、係止部１５ａに向かう付勢力、すなわち互いに当接する向きに付勢力が与えられている。
【０１０９】
なお、以下の説明では、一対の検出スライダ１８１ａ，１８１ｂのうち、図２２の右側に位置するものを第１の検出スライダ１８１ａ、図２２の左側に位置するものを第２の検出スライダ１８１ｂと呼ぶこととする。また、上述の一対の検出スライダ１８１ａ，１８１ｂが、互いに当接する部分は、図２２に示すように、手前側に位置している幅狭の突合せ部１８３ａ，１８３ｂである。
【０１１０】
また、第１の検出スライダ１８１ａのうち、第２の検出スライダ１８１ｂ側には、奥側に向かって、平面形状が略コ字状を為すスイッチ当接片１８４ａが延出している。スイッチ当接片１８４ａは、第１の検出スライダ１８１ａの長手と平行な方向を長手とし、かつ第２の検出スライダ１８１ｂ側に向かって延伸している。かかるスイッチ当接片１８４ａのうち、奥側の側面は、検出スイッチ１８８Ｂ，１８８Ｄが当接する当接部１８５ａである。また、第１の検出スライダ１８１ａのうち、側壁２０ａ側の他端部には、ディスク１１の外周縁部に係合するディスク係合片１８６ａが、上方に向かって設けられている。
【０１１１】
また、第２の検出スライダ１８１ｂにも、奥側にスイッチ当接片１８４ｂが設けられている。なお、スイッチ当接片１８４ｂは、第２の検出スライダ１８１ｂの長片部１８７に密接状態で設けられている。また、スイッチ当接片１８４ｂの一端は、第２の検出スライダ１８１ｂの第１の検出スライダ１８１ａ側の一端と略同一部位から、第２の検出スライダ１８１ｂの他端側に向かっているが、その長さは、長片部１８７よりも短い。
【０１１２】
また、スイッチ当接片１８４ｂは、スイッチ当接片１８４ａよりも奥側には突出していなく、コ字状を為すスイッチ当接片１８４ａの内部に位置可能となっている。なお、スイッチ当接片１８４ｂも、その奥側の側面が、検出スイッチ１８８Ａ，１８８Ｃが当接する当接部１８５ｂとなっている。また、第２の検出スライダ１８１ｂにも、ディスク１１の外周縁部に係合するディスク係合片１８６ｂが、側壁２０ｂ側の他端部で上方に向かって設けられている。
【０１１３】
かかる検出スライダ１８１ａ，１８１ｂよりも奥側には、４つの検出スイッチ１８８Ａ，１８８Ｂ，１８８Ｃ，１８８Ｄが配置されている。これらの検出スイッチ１８８Ａ〜１８８Ｄの並びのうち、その中央側に検出スイッチ１８８Ａ，１８８Ｂが配置されていて、その外側に検出スイッチ１８８Ｃ，１８８Ｄが配置されている。
【０１１４】
これらのうち、検出スイッチ１８８Ａ，１８８Ｂは、主として大径ディスク１１ｂおよび小径ディスク１１ａが挿入された場合に、当接部１８５ａ，１８５ｂの当接により押し込まれ、オン作動するものである。また、検出スイッチ１８８Ｃ，１８８Ｄは、主として大径ディスク１１ｂが挿入された場合（図２２（ｂ）参照）に、当接部１８５ａ，１８５ｂの当接により押し込まれ、オン作動するものである。
【０１１５】
しかしながら、図２２（ｃ）に示すように、小径ディスク１１ａが中央からではなく、片側に寄った状態で挿入された場合には、当接部１８５ａ，１８５ｂのスライドによって、検出スイッチ１８８Ａ，１８８Ｃ、または検出スイッチ１８８Ｂ，１８８Ｄのみをオン作動させる場合も生じる。この場合には、後述するように、このままディスク再生装置１０の内部に小径ディスク１１ａを搬入しても、良好にクランプできない。そのため、一旦小径ディスク１１ａを吐き出すような動作を、搬送ローラ１４５が行う。
【０１１６】
なお、かかる吐き出しの動作は、検出スイッチ１８８Ａ，１８８Ｃのみがオンとなり、他の検出スイッチ１８８Ｂ，１８８Ｄがオンとならない場合や、検出スイッチ１８８Ｂ，１８８Ｄのみがオンとなり、他の検出スイッチ１８８Ａ，１８８Ｃがオンとならない場合を検出することに基づいて、後述する制御部２０５でのローディングモータ１２０に対する制御指令によって為される。
【０１１７】
図１４、図２３に示すように、回動他端部１０４には、リアロックアーム１９０が連結されている。リアロックアーム１９０の長手から外れて突出する突出部位１９１には、差込孔１９２が形成されていて、この差込孔１９２に上述の連結ピン１０８が差し込まれる。それにより、リアロックアーム１９０がドライブアーム１００と連結される。また、ドライブアーム１００が回動した場合に、この回動に伴ってリアロックアーム１９０がスライドする。また、リアロックアーム１９０は、その長手が、ドライブアーム１００の長手に対して略垂直を為す状態で、ディスク再生装置１０の内部に配置されている。
【０１１８】
リアロックアーム１９０のうち、突出部位１９１から離間する他端部１９３には、図２３、図２４に示すようなロックピン１９４が設けられている。ロックピン１９４は、リアロックアーム１９０の上方に向かって突出するピン部材であり、該ロックピン１９４の上端は、図２４に示すような、アウターシャーシ部材１２の下面に取り付けられている舌片１９５に当接可能となっている。
【０１１９】
また、図２４に示すように、ロックピン１９４の下面側の部位（リアロックアーム１９０の下面側の部位）は、メインシャーシ１８の底面１８ａと近接または接触して設けられている。そのため、ロックピン１９４の上端が、舌片１９５に当接している状態では、このロックピン１９４がメインシャーシ１８と舌片１９５との間でつっかえる。それによって、フローティング部材１５は、その奥側において、フローティング状態とはならず、フローティングロック状態となる。
【０１２０】
また、ドライブアーム１００が図２３において時計回りに回動し、リアロックアーム１９０が図２３中右側に向かってスライドした場合には、ロックピン１９４の上端は、舌片１９５との間の当接状態が解除される。それによって、フローティング部材１５は上下方向に動くことが可能な、フローティング状態となる。なお、本実施の形態では、舌片１９５は、図２３および図２４に示すように、適宜折り曲げられた板バネ状部材である。そして、ロックピン１９４の上端が舌片１９５に当接した場合には、該舌片１９５は、ロックピン１９４を下方に押し付ける付勢力を与える。
【０１２１】
また、ディスク再生装置１０には、その他、図２５に示すような、各種部材の取付固定および固定用の補強板金２００、ディスク１１の下面にレーザ光を投受光させるためのピックアップユニット２０１、およびピックアップユニット２０１を摺動自在に支持するトラバースユニット２０２が設けられている。他には、光ピックアップユニット駆動のためのスレッドモータ２０３を有するスレッドモータユニット２０４が設けられている。
【０１２２】
この他に、ディスク再生装置１０には、終了検出スイッチ９１、検出スイッチ１８８Ａ〜１８８Ｄおよび各モータ３８，１２０，２０３に接続されている制御部２０５（図２６参照）が設けられている。制御部２０５は、終了検出スイッチ９１、検出スイッチ１８８Ａ〜１８８Ｄで検出した結果（スイッチのオン／オフ信号）に基づいて、各モータ３８，１２０，２０３の駆動を制御する。
【０１２３】
以上のような構成を有するディスク再生装置１０の作用について、以下に説明する。まず、最初に大径ディスク１１ｂが、ディスク再生装置１０の内部に搬入される場合について説明する。
【０１２４】
ディスク差込口１９から大径ディスク１１ｂを差し込むと、ディスク係合片１８６ａ，１８６ｂに、大径ディスク１１ｂの外周縁部がぶつかる（図２２（ｂ）参照）。この状態で大径ディスク１１ｂをさらに差し込むと、第１の検出スライダ１８１ａおよび第２の検出スライダ１８１ｂは、互いに離間する向きに、スライドされる。すると、まず検出スイッチ１８８Ａまたは検出スイッチ１８８Ｂの少なくとも一方がオン作動され、大径ディスク１１ｂまたは小径ディスク１１ａのいずれかが、差し込まれたことを検知する。
【０１２５】
この検知に基づいて、制御部２０５は、ローディングモータ１２０を作動させる。すると、ローディングモータ１２０の駆動力が搬送ローラ１４５に伝達され、該搬送ローラ１４５に先端が接触した大径ディスク１１ｂは、ディスク再生装置１０の内部に引き込まれる。そして、大径ディスク１１ｂが引き込まれるにつれて、第１の検出スライダ１８１ａおよび第２の検出スライダ１８１ｂは、さらにスライドし、検出スイッチ１８８Ａ，１８８Ｂの残りの一方および検出スイッチ１８８Ｃ，１８８Ｄをもオン作動させる。
【０１２６】
また、大径ディスク１１ｂは、図２（ａ）に示す大径ディスクガイド部２７によって、小径ディスク１１ａが搬入される場合よりも下向きに搬入される。そのため、大径ディスク１１ｂは、クランプ爪５０と干渉しない状態で、ディスク再生装置１０の内部に搬入される。この搬入により、大径ディスク１１ｂの搬入の先端側は、図５に示すディスク係合部４３に衝突する。この衝突に際しては、大径ディスク１１ｂの下面が、ディスク保持部４４によって保持される。
【０１２７】
また、大径ディスク１１ｂが、最初にディスク係合部４３に衝突する段階では、大径ディスク１１ｂの下面が、ディスク保持部４４に対して幾分浮いているか、または軽く接触している。しかしながら、大径ディスク１１ｂが引き込まれてディスク係合部４３が押されると、トリガアーム４０は、図６において時計回りに回動させられる。また、搬送ローラ１４５が、後述するように大径ディスク１１ｂから離間する方向に回動させられる。それにより、搬送ローラ１４５とディスクガイド部材１４との間の挟持が解かれ、該搬送ローラ１４５との接触部分から遠い大径ディスク１１ｂの先端部分が下方に移動しようとするが、その際に、該先端部分がディスク保持部４４によって保持される。
【０１２８】
なお、大径ディスク１１ｂのディスク再生装置１０の内部への搬入は、後述するように、ピン係合部１０９が回動用ピン１４７に係合し、ローラレバー部材１６を回動させることで従動ギヤ１３１とローラギヤ１３２との噛み合いが解かれるまで継続される。そして、搬入の最終位置では、孔部１１ｃ（大径ディスク１１ｂ）の中心と、ターンテーブル３７の中心とが略一致した状態となっている。
【０１２９】
トリガアーム４０が回動すると、図６および図１１に示すように、トリガスライダ６１もスライドさせられる。すなわち、トリガアーム４０の回動によって、スライダ用突起４６が係合部６７に衝突し（図１１（ａ）参照）、続いてトリガスライダ６１が手前側に押される。トリガスライダ６１がスライドすると、当接片６６が当接部７５に衝突し、それによってローディングスライダ７０が手前側に押し込まれる（図９（ｂ）参照）。
【０１３０】
ここで、図１１（ｂ）に示すように、当接片６６の当接部７５への衝突に前後して、トリガスライダ６１の手前側へのスライドによって、ラックギヤ６８も手前側に移動し、ラックギヤ６８がピニオンギヤ１２５と噛み合う。ここで、大径ディスク１１ｂの搬入のため、ローディングモータ１２０が回転駆動している場合、ピニオンギヤ１２５は図１０、図１１および図１４の各図において時計回りに回転する。そのため、ラックギヤ６８とピニオンギヤ１２５が噛み合うと、トリガスライダ６１およびローディングスライダ７０は、ローディングモータ１２０の駆動によって、手前側にスライドさせられる。
【０１３１】
また、ローディングスライダ７０が手前側に向かってスライドすると、図１２に示すように、突出ピン３３ａがカム溝８６に沿って摺動する。この場合、突出ピン３３ａはピン受部８７（図１２（ａ）参照）から頂点８６ｄを通り過ぎ、カム溝８６の急傾斜部８６ａへと移動し（図１２（ｂ）参照）、さらに緩傾斜部８６ｂ、および平行部８６ｃへ（図１２（ｃ）参照）と順次移動する。それにより、突出ピン３３ａは、メインシャーシ１８側へと移動し、高さ位置が下げられる。
【０１３２】
突出ピン３３ａが上述のようにカム溝８６を移動すると、それに伴なって、クランプレバー３０が、回動軸３２を支点として回動する。すると、クランパ３４が下方に向かって移動する。それによって、大径ディスク１１ｂがターンテーブル３７側に向かって押し下げられ、該大径ディスク１１ｂの調芯動作が実行される。なお、この調芯動作は、後述するローラレバー部材１６の回動と同時か、またはローラレバー部材１６の回動開始後に、回動するように設けられている。このため、大径ディスク１１ｂの搬入が停止している状態で、大径ディスク１１ｂの調芯が実行される。
【０１３３】
大径ディスク１１ｂの調芯に際しては、クランパ３４の降下により、環状凸部３７ａの傾斜している外周面に、孔部１１ｃの縁部が押し付けられる。それにより、孔部１１ｃは、外周面に沿って滑り、大径ディスク１１ｂが、その搬送方向に沿って移動する。このようにして、大径ディスク１１ｂの調芯動作が進行・終了する。
【０１３４】
ここで、図５に示すように、調芯動作が終了する直前の状態においては、搬送ローラ１４５の降下により、大径ディスク１１ｂは、ターンテーブル３７に対して傾斜している状態から略平行となる状態に移行する。この略平行状態においても、大径ディスク１１ｂとフリクションシート３９との間に、隙間ｈが存在している。そのため、大径ディスク１１ｂとフリクションシート３９とは接触しない。なお、かかる調芯動作に続いて、大径ディスク１１ｂのチャッキングが実行され、大径ディスク１１ｂは、クランパ３４とフリクションシート３９（ディスク載置部３７ｃ）との間で、クランプされた状態となる。
【０１３５】
また、ローディングスライダ７０がスライドすると、図１３に示すように、ピン１０７がカム溝部７９の内部を、手前側から奥側に向かって移動する。すなわち、ピン１０７は、基端部７９ａに位置する状態（図１３（ａ））からテーパ部７９ｂへと移動し（図１３（ｂ））、さらに先端部７９ｃへと移動する（図１３（ｃ））。カム溝部７９の内部をピン１０７が移動すると、該ピン１０７は、ディスク再生装置１０の内部を幅方向の側壁２０ａに向かって移動する。このピン１０７の移動に伴なって、回転軸１０５を中心としてドライブアーム１００が回動させられる。
【０１３６】
ここで、ドライブアーム１００の回動と回動用ピン１４７の係合の様子を、図１３に基づいて説明する。ドライブアーム１００の回動前は、図１３（ａ）に示すように、係合縁部１０９ａが回動用ピン１４７に係合していない。このとき、ピン１０７は、基端部７９ａに位置している。しかしながら、ローディングスライダ７０のスライドにより、ピン１０７がテーパ部７９ｂに位置すると、図１３（ｂ）に示すように、該ピン１０７が側壁２０ａ側に移動する。この移動に際して、ドライブアーム１００が回転軸１０５を中心に回動させられる。なお、ドライブアーム１００の回動は、図１３において反時計回り方向となる。さらにローディングスライダ７０がスライドし、ピン１０７が先端部７９ｃに位置すると、図１３（ｃ）に示すように、ドライブアーム１００がさらに回動させられる。
【０１３７】
ドライブアーム１００の回動により、ピン係合部１０９の係合縁部１０９ａが、回動用ピン１４７に対して係合する状態となる。かかる係合が為されると、回動用ピン１４７は、手前側に移動させられる。この場合、回動用ピン１４７を有するローラレバー部材１６は、回転軸１４０を中心として、図１６において時計回り方向に回転させられる。
【０１３８】
ここで、上述したように、ローラレバー部材１６の回動前の状態においては、大径ディスク１１ｂの搬入のために、搬送ローラ１４５が回転している。すなわち、ローラシャフト１４３と同軸のローラギヤ１３２が、従動ギヤ１３１と噛み合っている。しかしながら、図１６（ａ）〜（ｃ）に示すようにローラレバー部材１６が順次回転させられて、搬送ローラ１４５が所定だけ下方に押し下げられた場合には、ローラギヤ１３２と従動ギヤ１３１との間の噛み合いが解かれ、搬送ローラ１４５の回転駆動が停止させられる。
【０１３９】
なお、上述したように、搬送ローラ１４５の回転駆動が停止させられた場合には、大径ディスク１１ｂの中心は、ターンテーブル３７の中心と略一致した状態となっている。また、搬送ローラ１４５の回転駆動が停止しても、ラックギヤ６８とピニオンギヤ１２５とは噛み合っているので、ローディングスライダ７０およびトリガスライダ６１はスライドを継続する。それにより、係合ピン８９が先端突起４８を手前側に押し、このためトリガアーム４０は回転を継続する。それによって、大径ディスク１１ｂの外周縁部から、トリガアーム４０のディスク係合部４３が離れる。
【０１４０】
また、ローラレバー部材１６が回動すると、搬送ローラ１４５の高さ位置が下がる。それによって、搬送ローラ１４５の上部に接触している大径ディスク１１ｂの高さ位置も下がり、大径ディスク１１ｂのチャッキングに適した高さ位置となる。
【０１４１】
また、ドライブアーム１００が回動すると、ローラレバー部材１６の回動の他に、図１４および図２３に示すように、ロックスライダ１５１およびリアロックアーム１９０がスライドする。このうち、ロックスライダ１５１は、ドライブアーム１００の図１４における反時計回りの回動によって、図１４および図１８中右側にスライドする。
【０１４２】
すなわち、ドライブアーム１００が図１４において時計回り（手前かつ上側から見た場合は時計回り）に回動すると、スライダ用ピン１１１が図１４中右側（手前から見た場合は左側）に向かって回動する。このスライダ用ピン１１１は、貫通溝１５２に挿通しているので、回動によって、貫通溝１５２の側壁を押す。それによって、ロックスライダ１５１は、図１４中右側に向かってスライドする（図１７（ｂ）参照）。そして、ロックスライダ１５１の図１４中の右側へのスライドによって、一対のロックアーム１６０ａ，１６０ｂが開いた状態（互いに離間している状態；図１７（ａ）参照）から、閉じた状態（互いに近接している状態；図１７（ｂ）参照）へと移行する。
【０１４３】
なお、ロックスライダ１５１の図１４中右側へのスライドによって、第１のロックアーム１６０ａが開いている状態から閉じる状態へ順次移行する様子は、図１８（ａ）〜（ｃ）に示される。また、第２のロックアーム１６０ｂが開いている状態から閉じる状態へ順次移行する様子は、図１９（ａ）〜（ｃ）に示される。
【０１４４】
ここで、上述したように、ロックアーム１６０ａ，１６０ｂが開いている状態では、挟持部材１６４は、図２１（ａ）に示すように、インサート部１７１に挟持される。この挟持状態では、フローティング部材１５が、フローティングロック状態となっている。しかしながら、ロックアーム１６０ａ，１６０ｂが回動して、閉じている状態へと移行した場合には、図２１（ｂ）に示すように、挟持部材１６４はインサート部１７１での挟持状態が解除されて、フローティング状態となる。かかるフローティング状態においては、フローティング部材１５が、アウターシャーシ部材１２に対してバネ２２やダンパ２１によって、弾性的に支持されて、外部衝撃を吸収可能となる。
【０１４５】
また、ドライブアーム１００が図２３において時計回り（図１４において反時計回り）に回動すると、差込孔１９２と連結ピン１０８とで連結されているリアロックアーム１９０が、図２３および図２４中右側に向かってスライドする。ドライブアーム１００が、かかるスライドを行うと、ロックピン１９４の上端は、舌片１９５への当接状態が解除される。当接状態が解除されると、バネ２２の付勢力等によって、フローティング部材１５は持ち上げられた弾性支持状態となる。それによって、フローティング部材１５に対して外部衝撃が加えられても、該衝撃を吸収可能となる。
【０１４６】
すなわち、ローディングスライダ７０がスライドすると、クランプレバー３０が下方に向かって押し下げられて、クランパ３４がターンテーブル３７に大径ディスク１１ｂをチャッキングする状態となる。また、ドライブアーム１００が回動すると、搬送ローラ１４５が下方に向かって移動する。また、ドライブアーム１００の回動により、ロックアーム１６０およびリアロックアーム１９０のフローティングロック状態が解除される。それによって、以後は、この大径ディスク１１ｂを良好に再生することが可能となる。
【０１４７】
なお、ローディングスライダ７０が所定だけスライドすると、スイッチ当接部７２が終了検出スイッチ９１を押す。それによって、ローディングモータ１２０は、その作動が停止され、ローディングスライダ７０のスライドが停止させられる。それにより、他のドライブアーム１００や、ロックアーム１６０、リアロックアーム１９０、クランプレバー３０等の他の部材の動きも停止させられる。
【０１４８】
また、大径ディスク１１ｂをディスク再生装置１０の内部から外部に向かって排出する場合には、各機構は上述とは逆の動作を実行する。すなわち、上述の場合とは逆向きにローディングモータ１２０が作動すると、該ローディングモータ１２０の駆動力は、ピニオンギヤ１２５およびラックギヤ６８に伝達される。このラックギヤ６８への駆動力の伝達により、トリガスライダ６１は、今度は奥側に向かって駆動させられる。
【０１４９】
すると、トリガスライダ６１の奥側への引き込みによって、該トリガスライダ６１と連動バネ９０を介して連結されているローディングスライダ７０も奥側へ引き込まれる。この引き込みによって、ドライブアーム１００も先程とは逆に回動する。そして、ピン係合部１０９が奥側に移動するにつれて、ローラレバー部材１６が不図示のバネによって回動され、ローラギヤ１３２と従動ギヤ１３１とが噛み合う状態となる。かかる噛み合いと共に、回動用ピン１４７がディスク再生装置１０の奥側の初期位置に戻るよう、移動する。
【０１５０】
また、ローディングスライダ７０のディスク再生装置１０の奥側へ向けたスライドにより、該ローディングスライダ７０とピン１０７を介して連動するドライブアーム１００が、図２３において反時計回りに回動させられる。このドライブアーム１００の回動に伴なって、ロックスライダ１５１が図１４、図１７〜図１９中左側に向かってスライドする。それによって、ロックアーム１６０ａ，１６０ｂが閉じている状態から開いている状態へと移行し、ロックアーム１６０ａ，１６０ｂの挟持部材１６４がインサート部１７１に挟み込まれる（図２１（ａ）参照）。
【０１５１】
それによって、フローティング部材１５は、手前側において、フローティング状態からフローティングロック状態へと切り替えられる。同様に、リアロックアーム１９０も、図２３、図２４中左側に向かってスライドし、ロックピン１９４の上端が舌片１９５に当接する（図２４（ａ）参照）。それによって、フローティング部材１５は、奥側においても、フローティング状態からフローティングロック状態へと切り替えられる。
【０１５２】
ローディングスライダ７０が奥側にスライドすると、このスライドに伴なって、カム溝８６の内部を突出ピン３３ａが平行部８６ｃから急傾斜部８６ａに向けて移動する（図１２参照）。それによって、クランプレバー３０は、大径ディスク１１ｂから離間するように回動し、ディスク１１のチャッキングが解除される。この解除においては、上述のローラレバー部材１６の回動によって、大径ディスク１１ｂが持ち上げられる。
【０１５３】
また、トリガスライダ６１が奥側にスライドすると、それに伴なってトリガアーム４０が図３において反時計回りに回動する。この場合、トリガアーム４０には、戻しバネ５７が連結されているので、該戻しバネ５７の付勢力によって、先端突起４８と係合ピン８９との係合で戻りが規制されつつ、トリガアーム４０は反時計回りに回動させられる。すなわち、大径ディスク１１ｂの排出に伴なって、該大径ディスク１１ｂの外周縁部に対してディスク係合部４３で係止しているトリガアーム４０も、反時計回りに回動する。以上のようにして大径ディスク１１ｂの搬入および排出が為される。
【０１５４】
次に、小径ディスク１１ａをディスク差込口１９から搬入する場合について説明する。なお、この小径ディスク１１ａに関して、上述の大径ディスク１１ｂの搬入の際の各部の動作と同一部分についての説明は省略する。
【０１５５】
まず、小径ディスク１１ａをディスク差込口１９（図２０参照）から差し込む。この場合も、上述の大径ディスク１１ｂの搬入の場合と同様に、小径ディスク１１ａがディスク再生装置１０の内部に搬入される。しかしながら、小径ディスク１１ａの外径（直径）は、大径ディスク１１ｂの外径よりも小さいため、図２２に示す第１の検出スライダ１８１ａおよび第２の検出スライダ１８１ｂが動作しても、検出スイッチ１８８Ａ〜１８８Ｄの全てを同時にオン作動させることはできない。すなわち、検出スイッチ１８８Ｃまたは検出スイッチ１８８Ｄの少なくとも一方が、オン作動されないままの状態となる。なお、通常は、検出スイッチ１８８Ａと検出スイッチ１８８Ｂがオン作動され、他の検出スイッチ１８８Ｃ，１８８Ｄはオン作動されない。
【０１５６】
ここで、小径ディスク１１ａが搬入される場合には、検出スイッチ１８８Ａと検出スイッチ１８８Ｃのみをオン作動させる場合（図２２（ｃ）参照）、または検出スイッチ１８８Ｂと検出スイッチ１８８Ｄのみをオン作動させる場合も存在する。すなわち、小径ディスク１１ａが、図２２における右側または左側のいずれか一方に偏った状態で搬入される場合も存在する。
【０１５７】
しかしながら、小径ディスク１１ａに上述のような偏りが生じた状態で搬入されると、小径ディスク１１ａを適切に保持することができなくなってしまう。すなわち、小径ディスク１１ａが十分に搬入されて、搬送ローラ１４５から該小径ディスク１１ａが離間しようとする場合でも、該小径ディスク１１ａの外周縁部を、クランプ爪５０に適切に衝突させることができなくなってしまい、ディスク再生装置１０の内部に小径ディスク１１ａが落下する、といった不具合が生じる。
【０１５８】
このため、上述のように、検出スイッチ１８８Ａと検出スイッチ１８８Ｃのみをオン作動させる場合、または検出スイッチ１８８Ｂと検出スイッチ１８８Ｄのみをオン作動させる場合には、制御信号を受信した制御部２０５（図２６参照）は、小径ディスク１１ａの搬入をやめ、ローディングモータ１２０を逆回転させて該小径ディスク１１ａを排出させる。そして、少なくとも検出スイッチ１８８Ａと検出スイッチ１８８Ｂの両方がオン作動させられた場合のみに、搬送ローラ１４５の搬入のための駆動を継続させ、小径ディスク１１ａをディスク再生装置１０の内部に搬入させる。
【０１５９】
なお、この検出スイッチ１８８Ｃ，１８８Ｄの位置は、ディスクガイド部材１４の大径ディスクガイド部２７と対応する位置に設けられている。
【０１６０】
ここで、小径ディスク１１ａの搬入の先端部分は、小径ディスクガイド部２８によって、大径ディスク１１ｂの搬入の場合よりも、上方側に向かってガイドされる（図２（ｂ）参照）。それによって、搬入が進行すると、この小径ディスク１１ａの先端部分が、係止壁５３に衝突する（図６および図８参照）。また、小径ディスク１１ａの先端部分の下面側は、ディスク受け部５２によって受け止められる状態となる。すなわち、小径ディスク１１ａの先端部分が、クランプ爪５０によって保持された状態となる。
【０１６１】
この保持状態を継続したままで、小径ディスク１１ａがさらに搬入されると、該小径ディスク１１ａの先端によって係止壁５３が押し込まれ、トリガアーム４０が回動し、スライダ用突起４６がトリガスライダ６１の係合部６７に係合する（図６，図９および図１１参照）。そして、スライダ用突起４６がトリガスライダ６１を手前側にスライドさせる。また、当接片６６が、当接部７５に当接し、該ローディングスライダ７０を手前側にスライドさせる。このスライドにより、図１２に示すように、カム溝８６の内部を突出ピン３３ａが摺動する。それにより、クランプレバー３０が降下する。ここで、クランプレバー３０が降下すると、クランパ３４が小径ディスク１１ａの上面に接触する。この接触は、小径ディスク１１ａの孔部１１ｃに、環状凸部３７ａが差し込まれるタイミングで行われ、調芯が実行される。
【０１６２】
しかしながら、孔部１１ｃに環状凸部３７ａが差し込まれるタイミングは、孔部１１ｃ（小径ディスク１１ａ）の中心と、ターンテーブル３７の中心とが略一致した状態でなくても良く、種々変更可能である。
【０１６３】
また、クランパ３４が回動して小径ディスク１１ａに接触する場合、回動支点３１からのクランプ爪５０までの距離と、回動支点３１からクランパ３４までの距離の相違により、クランプ爪５０側の下降距離の方が、クランパ３４の下降距離よりも小さい。しかも、クランパ３４によって、小径ディスク１１ａをクランプしたときに、クランプ爪５０のディスク受け部５２の上面は、小径ディスク１１ａの下面より上方となるように設けられている。このため、小径ディスク１１ａがクランプされたとき、小径ディスク１１ａはディスク受け部５２に乗っている状態で、かつ先端側が少しだけ持ち上げられて撓む。
【０１６４】
しかしながら、クランプレバー３０の回動角度はさほど大きくなく、ディスク受け部５２の上面とクランプされたときの小径ディスク１１ａの下面との垂直方向の距離差は僅かである。このため、小径ディスク１１ａの撓みは、該小径ディスク１１ａを損傷させるものでもなく、またクランプ爪５０が外径側に移動し小径ディスク１１ａがディスク受け部５２から外れた場合に、小径ディスク１１ａを大きく振動させるものでもない。
【０１６５】
また、クランパ３４の小径ディスク１１ａへの接触、および小径ディスク１１ａのターンテーブル３７への接触とほぼ同時に、搬送ローラ１４５の回転が停止される。すなわち、図１６に示すように、ピン係合部１０９の回動用ピン１４７への係合により、ローラレバー部材１６が回動する。そして、小径ディスク１１ａの高さ位置が、ローラレバー部材１６の回動により下げられ、小径ディスク１１ａはターンテーブル３７に近接していく。
【０１６６】
また、ローラレバー部材１６の回動により、従動ギヤ１３１とローラギヤ１３２との噛み合いが、上述の接触のタイミングとほぼ同時に解かれる（図１６（ｂ），（ｃ）参照）。そのため、孔部１１ｃ（小径ディスク１１ａ）の中心と、ターンテーブル３７の中心とが略一致した場合、搬送ローラ１４５はこれ以上回転駆動しなくなり、該小径ディスク１１ａのディスク再生装置１０の内部への搬入が停止される。
【０１６７】
しかしながら、搬送ローラ１４５の回転駆動が停止されても、トリガスライダ６１のスライドによって、ラックギヤ６８とピニオンギヤ１２５とが噛み合っている。しかも、従動ギヤ１３１とローラギヤ１３２との噛み合いが解かれた当初は、まだ終了検出スイッチ９１をスイッチ当接部７２が押し込んでいない。そのため、ローディングモータ１２０は作動を継続し、トリガスライダ６１およびローディングスライダ７０は手前側にスライドする。かかるスライドにより、係合ピン８９が先端突起４８を手前側に押し、それによってトリガアーム４０は図６において時計回りの回動を継続する。
【０１６８】
なお、搬送ローラ１４５の回転駆動が停止された場合でも、トリガスライダ６１がスライドすることで、図１３に示すように、ピン係合部１０９と回動用ピン１４７とが係合し、ドライブアーム１００はさらに回動される。そのため、さらにローラレバー部材１６が回動し、小径ディスク１１ａがターンテーブル３７に載置された後に、搬送ローラ１４５は、小径ディスク１１ａの下面から離間する状態となる（図１６（ｃ）参照）。
【０１６９】
ここで、環状凸部３７ａが孔部１１ｃに差し込まれた当初は、ディスク受け部５２が小径ディスク１１ａの先端側の下面を受け止めている。しかも、クランプレバー３０が回動してクランパ３４が小径ディスク１１ａの上面に接触すると、小径ディスク１１ａは少しだけ撓んだ状態で、クランプ爪５０によって保持されている。しかしながら、トリガアーム４０の回動は上述のように継続されているため、ディスク受け部５２はすぐに小径ディスク１１ａの下面から外れ、該小径ディスク１１ａの外径側に逃げていく。
【０１７０】
そして、図３（ｂ）に示すように、ターンテーブル３７へ小径ディスク１１ａをチャッキングした場合に、ディスク受け部５２が小径ディスク１１ａに干渉しない位置までトリガアーム４０は回動する。そして、図９に示すように、スイッチ当接部７２が終了検出スイッチ９１を押し込み、小径ディスク１１ａの搬入動作が終了する。
【０１７１】
なお、小径ディスク１１ａをディスク再生装置１０の内部から外部に向けて排出する排出動作は、上述の大径ディスク１１ｂの排出動作と同様となっている。
【０１７２】
このような構成のディスク再生装置１０によれば、ディスク保持部４４によって、大径ディスク１１ｂの搬入の先端部分が保持される。それにより、クランパ３４および搬送ローラ１４５の降下の際、大径ディスク１１ｂの先端部分が、フリクションシート３９に接触しようとするのを防ぐことができる。そのため、大径ディスク１１ｂの下面とフリクションシート３９との間に大きな摩擦が生じるのを防ぐことができ、大径ディスク１１ｂの調芯を円滑に行うことが可能となる。
【０１７３】
また、ディスク係合部４３に設けられるディスク保持部４４は、構成が複雑でないため、コストの増加を抑えることができ、しかも、ディスク保持部４４によって、大径ディスク１１ｂを安定的に調芯することができる。そして、大径ディスク１１ｂの調芯が安定的に行えるので、該大径ディスク１１ｂのその後のクランプも安定的かつ確実に行うことができる。また、ディスク保持部４４は、クランプ爪５０よりも下方に向かって突出している。そのため、大径ディスク１１ｂの搬入に際して、クランプ爪５０が大径ディスク１１ｂの先端側と干渉することがなく、ディスク保持部４４にて大径ディスク１１ｂを良好に保持させることが可能となる。
【０１７４】
さらに、ディスクガイド部材１４によって、大径ディスク１１ｂは、小径ディスク１１ａの搬入の場合よりも、下方に向かって進行させられる。それにより、大径ディスク１１ｂの先端部分がクランプ爪５０と干渉することなく、ディスク係合部４３に大径ディスク１１ｂの先端部分を衝突させることができる。また、ディスクガイド部材１４は、フリクションシート３９に大径ディスク１１ｂの下面が接触するのを防ぐ状態で、大径ディスク１１ｂの搬入をガイドすることができる。
【０１７５】
さらに、大径ディスク１１ｂの先端部分を保持する先端保持手段は、ディスク係合部４３と、ディスク保持部４４と、を具備している。そのため、ディスク係合部４３にて、大径ディスク１１ｂの先端部分を衝突させると共に、ディスク保持部４４にて、大径ディスク１１ｂの下面側を良好に受け止めることができる。このため、大径ディスク１１ｂの搬入に伴なって、トリガアーム４０を良好に回動させることができると共に、搬送ローラ１４５が降下した場合に、大径ディスク１１ｂの先端部分を即座に受け止めることができる。また、ディスク保持部４４の高さ位置を、該大径ディスク１１ｂの下面側を保持する高さ位置としている。このため、ディスク保持部４４が大径ディスク１１ｂの先端部分と衝突せず、良好に大径ディスク１１ｂを保持することが可能となる。
【０１７６】
また、ディスク保持部４４は、軸線Ｐの軸線方向に向かって突出していて、この軸線Ｐは、トリガアーム４０の回動前の状態において、大径ディスク１１ｂのチャッキングの中心部分に向かっている。このため、トリガアーム４０が回動すれば、軸線Ｐが大径ディスク１１ｂのチャッキングの中心部分を向かなくなる。それにより、該トリガアーム４０の回動に際して、ディスク保持部４４が大径ディスク１１ｂの下面からトリガアーム４０の回動に従って徐々に外れてゆき、トリガアーム４０が奥側に完全に回動する直前で、完全に外れるため、大径ディスク１１ｂのチャッキングに際して、ディスク保持部４４が邪魔になるのを抑えることができる。
【０１７７】
さらに、クランプレバー３０の回動によって、クランパ３４が大径ディスク１１ｂに接近する場合には、搬送ローラ１４５がドライブアーム１００の回動によって回動させられる。それにより、大径ディスク１１ｂの調芯とチャッキングとを、確実に実行することができる。特に、ドライブアーム１００のピン係合部１０９の形状を、適宜に設定するだけで、搬送ローラ１４５の回動のタイミングを、的確な状態に設定できるため、搬送ローラ１４５の駆動停止、および降下のタイミングを的確に設定し、調芯およびチャッキングを良好に実行することができる。
【０１７８】
以上、本発明の一実施の形態について説明したが、本発明はこれ以外にも種々変形可能となっている。以下、それについて述べる。
【０１７９】
上述の実施の形態では、先端保持手段として、トリガアーム４０にディスク係合部４３およびディスク保持部４４を設け、そのうちディスク保持部４４によって大径ディスク１１ｂの下面を保持する構成について説明している。しかしながら、先端保持手段は、これらには限られない。例えば、トリガアーム４０とは別個のスライド又は回動する部材を設け、かかる部材に先端保持手段を設けるように構成しても良い。また、大径ディスク１１ｂの下面のみを受け止める部材を、先端保持手段としても良い。
【０１８０】
また、上述の実施の形態では、大径ディスク１１ｂの調芯に際して、搬送ローラ１４５が回動する構成について説明している。しかしながら、大径ディスク１１ｂの調芯に際しては、搬送ローラ１４５が回動しない構成を採用しても良い。その場合には、大径ディスク１１ｂは、上述の実施の形態の場合よりも、より上方側に向かって搬入される。また、上述の実施の形態においては、ディスク搬送機構としては、回転軸１４０を中心として回転するローラレバー部材１６（搬送ローラ１４５）を用いた場合について説明している。しかしながら、ローラレバー部材１６（搬送ローラ１４５）は、かかる構成には限られず、レール等の昇降ガイドによって搬送ローラ１４５が上下動し、ディスク１１から離れるもの等、種々のものが適用可能である。
【０１８１】
さらに上述の実施の形態では、ディスクガイド手段として、ディスクガイド部材１４を用いる場合について説明している。しかしながら、ディスクガイド手段はこれには限られず、ディスク径の検知結果に基づいてガイド板を上下させるもの等、種々のものが適用可能である。また、回動部材としては、アーム状のトリガアーム４０以外に、例えば円盤状部材等、種々のものを適用可能である。
【０１８２】
また、スライド用駆動伝達手段としては、ラックギヤ６８とピニオンギヤ１２５との噛み合い以外に、例えば回転式のカム機構を利用して、駆動の伝達および非伝達を切り替えるようにしても良い。また、カム機構としてのカム部材８３は、別途ローラレバー部材１６の回動をもさせるスライダに設けるようにして、第２のカム機構としてのドライブアーム１００、回動用ピン１４７等と一体化を図るようにしても良い。
【０１８３】
また、上述の実施の形態では、大径ディスク１１ｂの先端部分を、先端保持手段で保持させて、フリクションシート３９に大径ディスク１１ｂの下面が接触しないようにしている。しかしながら、小径側先端保持手段としてのクランプ爪５０によって、小径ディスク１１ａの調芯に際して、その下面が、フリクションシート３９へ接触するのを防ぐように構成するのが好ましい。また、かかるクランプ爪５０を、先端保持手段として用いるようにしても良い。さらに、小径側先端保持手段としては、クランプ爪５０以外に、例えば小径ディスク１１ａの下面のみを受け止める、例えば下方から延伸する突出部材を利用するものであっても良い。
【０１８４】
さらに、チャッキングの直前に、ディスク保持部４４が大径ディスク１１ｂの先端部分から退避するように、トリガアーム４０が回動されるのが望ましい。しかしながら、大径ディスク１１ｂの撓みがさほど生じない場合には、大径ディスク１１ｂに対するチャッキングが終了した後に、ディスク保持部４４が大径ディスク１１ｂの先端部分から退避するように、構成しても良い。
【産業上の利用可能性】
【０１８５】
本発明のディスク再生装置は、音響機器及び映像再生機器の分野において利用することができる。
【図面の簡単な説明】
【０１８６】
【図１】本発明の一実施の形態に係るディスク再生装置の構成を示す分解斜視図である。
【図２】図１のディスク再生装置において、ディスクガイド部の構成を示す側断面図であり、（ａ）は大径ディスクガイド部を有する部分の側断面図を示し、（ｂ）は小径ディスクガイド部を有する部分の側断面図を示す。
【図３】図１のディスク再生装置において、クランプレバーの形状を示す平面図であり、（ａ）はトリガアームが初期位置にある状態を示し、（ｂ）はトリガアームがディスクによって奥側に押された状態を示す。
【図４】図１のディスク再生装置において、クランプレバーと大径ディスクおよびローラレバー部材との位置関係を示す側面図であり、（ａ）は大径ディスクをチャッキングする前の状態を示し、（ｂ）は大径ディスクをチャッキングした後の様子を示す。
【図５】図１のディスク再生装置において、クランパによって大径ディスクが調芯されると共に、ディスク保持部によって大径ディスクの先端部分が保持されている状態を示す部分側断面図である。
【図６】図１のディスク再生装置において、トリガアームのクランプ爪、大径ディスクおよびローディングスライダ部材の係合関係を示す分解斜視図である。
【図７】図１のディスク再生装置における、トリガアームの形状を示す図であり、（ａ）は平面図を示し、（ｂ）は正面図を示す。
【図８】図１のディスク再生装置において、トリガアームに設けられているクランプ爪および小径ディスクを示す側断面図である。
【図９】図１のディスク再生装置において、クランプレバーおよびトリガアーム、ローディングスライダ部材、ローディングモータ、ドライブアーム、およびローラレバー部材の係合関係を示す分解斜視図である。
【図１０】図１のディスク再生装置において、ローディングスライダ部材の構成を示す背面側から見た分解斜視図である。
【図１１】図１のディスク再生装置において、ローディングスライダ部材のスライドの前後の様子を下方側から見た図であり、（ａ）はスライダ用突起によってトリガスライダが押された直後を示し、（ｂ）は当接片がローディングすらいだに係合したときの様子を示す。
【図１２】図１のディスク再生装置において、カム溝に対して突出ピンが摺動することで、クランプレバーが回動する様子を示す側面図であり、（ａ）は突出ピンがピン受部にあるときを示し、（ｂ）は突出ピンが急傾斜部にあるときを示し、（ｃ）は突出ピンが平行部にあるときを示す。
【図１３】図１のディスク再生装置において、ドライブアームの回動による回動用ピンのスライドの様子を下方側から見た図であり、（ａ）はドライブアームが回動する前を示し、（ｂ）はドライブアームが回動して回動用ピンがスライドしたときを示し、（ｃ）はドライブアームが一層回動して回動用ピンがさらにスライドしたときを示す。
【図１４】図１のディスク再生装置において、フロント側メカロック機構およびリアロックアームを駆動させるための構成を示す図で、下方側から見た図である。
【図１５】図１のディスク再生装置において、検出スライダ、ローラレバー部材およびローディングモータの位置関係を示す分解斜視図である。
【図１６】図１のディスク再生装置において、ローラレバー部材の回動の様子を示す側面図であり、（ａ）はローラレバー部材が回動する前を示し、（ｂ）はローラレバー部材の回動によりローラギヤと従動ギヤとの噛み合いが解かれたときを示し、（ｃ）はローラレバー部材がディスクの下面と離れる位置まで回動したときを示す。
【図１７】図１のディスク再生装置において、ドライブアームの回動によるロックアームの開閉の様子を示す下方側から見た図であり、（ａ）はドライブアームが回動する前でロックアームが開いている状態を示し、（ｂ）はドライブアームが回動してロックアームが閉じている状態を示すものである。
【図１８】図１のディスク再生装置において、ロックスライダのスライドによる第１のロックアームの回動の様子を示す下方側から見た図であり、（ａ）はロックスライダがスライドする前を示し、（ｂ）はロックスライダが所定だけ回動して第１のロックアームが閉じ始めたときを示し、（ｃ）はロックスライダがさらにスライドして第１のロックアームが閉じたときを示す。
【図１９】図１のディスク再生装置において、ロックスライダのスライドによる第２のロックアームの回動の様子を示す下方側から見た図であり、（ａ）はロックスライダがスライドする前を示し、（ｂ）はロックスライダが所定だけ回動して第２のロックアームが閉じ始めたときを示し、（ｃ）はロックスライダがさらにスライドして第２のロックアームが閉じたときを示す。
【図２０】図１のディスク再生装置において、フロント側メカロック機構とアウターシャーシおよびフローティング部材との位置関係を示す分解斜視図である。
【図２１】図１のディスク再生装置において、固定板バネによる挟持部材の挟持の様子を示す正面図であり、（ａ）は挟持部材が固定板バネに挟持されている状態を示し、（ｂ）は挟持部材が固定板バネに挟持されていない状態を示す。
【図２２】図１のディスク再生装置において、ディスク径検出機構の構成を示す平面図であり、（ａ）は検出スライダが閉じている初期状態を示し、（ｂ）は大径ディスクの挿入し始めの様子を示し、（ｃ）は小径ディスクが左側に偏って挿入されている状態を示す。
【図２３】図１のディスク再生装置において、ドライブアームおよびリアロックアームのアウターシャーシ部材およびフローティング部材に対する位置関係を示す分解斜視図である。
【図２４】図１のディスク再生装置において、ロックピンと舌片部との位置関係を示す側断面図であり、（ａ）はロックピンが舌片部に当接している状態を示し、（ｂ）はロックピンが舌片部から離れている状態を示す。
【図２５】図１のディスク再生装置において、メインシャーシに取り付けられる各種部材を示す分解斜視図である。
【図２６】図１のディスク再生装置において、制御部と各検出スイッチおよび各モータとの接続関係を示すブロック図である。
【図２７】従来のディスク再生装置において、クランパによって大径ディスクが調芯される様子を示す部分側断面図である。
【符号の説明】
【０１８７】
１０…ディスク再生装置
１１…ディスク
１１ａ…小径ディスク
１１ｂ…大径ディスク
１４…ディスクガイド部材（ディスクガイド手段）
１６…ローラレバー部材（ディスク搬送機構の一部）
１８…メインシャーシ
１９…ディスク差込口
２０ａ，２０ｂ…側壁
３０…クランプレバー
３３ａ…突出ピン（カム機構の一部）
３４…クランパ
３９…フリクションシート（滑り止め部）
４０…トリガアーム（回動部材）
４３…ディスク係合部（先端保持手段の一部）
４４…ディスク保持部（先端保持手段の一部）
５０…クランプ爪（小径側先端保持手段）
６０…ローディングスライダ部材（スライド部材）
６１…トリガスライダ
７０…ローディングスライダ
８３…カム部材（カム機構の一部）
１００…ドライブアーム（第２のカム機構の一部）
１２０…ローディングモータ（ディスク搬送機構の一部）
１３１…従動ギヤ（ディスク搬送機構の一部、駆動力伝達切替機構の一部）
１３２…ローラギヤ（ディスク搬送機構の一部、駆動力伝達切替機構の一部）
１４０…回転軸（ディスク搬送機構の一部）
１４１…ローラ支持体（ディスク搬送機構の一部）
１４５…搬送ローラ（ディスク搬送機構の一部）
１４７…回動用ピン（第２のカム機構の一部）
１５１…ロックスライダ
１６０…ロックアーム
１８０…ディスク径検出機構
１９０…リアロックアーム
１９４…ロックピン
２０５…制御部
【図１】
2005078694.tif 000003
【図２】
2005078694.tif 000004
【図３】
2005078694.tif 000005
【図４】
2005078694.tif 000006
【図５】
2005078694.tif 000007
【図６】
2005078694.tif 000008
【図７】
2005078694.tif 000009
【図８】
2005078694.tif 000010
【図９】
2005078694.tif 000011
【図１０】
2005078694.tif 000012
【図１１】
2005078694.tif 000013
【図１２】
2005078694.tif 000014
【図１３】
2005078694.tif 000015
【図１４】
2005078694.tif 000016
【図１５】
2005078694.tif 000017
【図１６】
2005078694.tif 000018
【図１７】
2005078694.tif 000019
【図１８】
2005078694.tif 000020
【図１９】
2005078694.tif 000021
【図２０】
2005078694.tif 000022
【図２１】
2005078694.tif 000023
【図２２】
2005078694.tif 000024
【図２３】
2005078694.tif 000025
【図２４】
2005078694.tif 000026
【図２５】
2005078694.tif 000027
【図２６】
2005078694.tif 000028
【図２７】
2005078694.tif 000029